(57)【要約】  本開示は、ＬＴＥ（Ｌｏｎｇ  ｔｅｒｍ  ｅｖｏｌｕｔｉｏｎ）のような４Ｇ４ｔｈ−Ｇｅｎｅｒａｔｉｏｎ）通信システムより高いデータレートをサポートするために提供されるｐｒｅ−５Ｇ又は５Ｇ通信システムに関する。ＣＳＩ報告メカニズムのための方法及び装置が提供される。ユーザ端末（ＵＥ）の装置は、少なくとも１つの送受信機及び前記少なくとも１つの送受信機に動作可能にカップリングされる少なくとも１つのプロセッサを含む。前記少なくとも１つのプロセッサは、少なくとも１つのＣＳＩ報告設定、少なくとも１つのリソース設定及び測定設定を含むＣＳＩ設定に基づいてチャネル状態情報（ＣＳＩ）を決定するように構成される。前記少なくとも１つの送受信機は、決定されたＣＳＩを基地局（ＢＳ）に送信するように構成される。
2019532564.tif 000002
【特許請求の範囲】
【請求項１】
ユーザ端末（ＵＥ）の装置であって、
少なくとも１つの送受信機；及び
前記少なくとも１つの送受信機に動作可能にカップリングされる少なくとも１つのプロセッサであって、少なくとも１つのＣＳＩ報告設定、少なくとも１つのリソース設定、及び測定設定を含むＣＳＩ設定に基づいてチャネル状態情報（ｃｈａｎｎｅｌ  ｓｔａｔｅ  ｉｎｆｏｒｍａｔｉｏｎ、ＣＳＩ）を決定するように構成される、前記少なくとも１つのプロセッサを含み、また
前記少なくとも１つの送受信機は前記決定されたＣＳＩを基地局（ＢＳ）に送信するように構成される、装置。
【請求項２】
前記測定設定は前記少なくとも１つのＣＳＩ報告設定の内の１つのＣＳＩ報告設定と前記少なくとも１つのリソース設定の内の１つのリソース設定の間のリンケージ表示を含み、また
前記１つのＣＳＩ報告設定と関連付けられたＣＳＩは前記１つのリソース設定と関連付けられた基準信号（ｒｅｆｅｒｅｎｃｅ  ｓｉｇｎａｌ、ＲＳ）を測定することに基づいて決定される、請求項１に記載の装置。
【請求項３】
前記１つのリソース設定はチャネル測定又は干渉測定のために構成される、請求項２に記載の装置。
【請求項４】
前記１つのＣＳＩ報告設定は周期的、非周期的又は半永続的方式で報告されるようにＣＳＩを構成する、請求項２に記載の装置。
【請求項５】
前記１つのリソース設定は周期的、非周期的又は半永続的方式で測定されるように構成されるＣＳＩ−ＲＳと関連付けられる、請求項２に記載の装置。
【請求項６】
前記１つのＣＳＩ報告設定はチャネル品質インジケータ（ｃｈａｎｎｅｌ  ｑｕａｌｉｔｙ  ｉｎｄｉｃａｔｏｒ、ＣＱＩ）、プリコーディングマトリックスインジケータ（ｐｒｅｃｏｄｉｎｇ  ｍａｔｒｉｘ  ｉｎｄｉｃａｔｏｒ、ＰＭＩ）、ランクインジケータ（ｒａｎｋ  ｉｎｄｉｃａｔｏｒ、ＲＩ）、又はＣＳＩ−ＲＳリソースインジケータ（ＣＳＩ−ＲＳ  ｒｅｓｏｕｒｃｅ  ｉｎｄｉｃａｔｏｒ、ＣＲＩ）の内の少なくとも１つに対するＣＳＩパラメータ設定を含む、請求項２に記載の装置。
【請求項７】
前記１つのＣＳＩ報告はＣＳＩを報告するための報告周期及びタイミングオフセットを含む、請求項２に記載の装置。
【請求項８】
基地局（ＢＳ）の装置であって、
少なくとも１つの送受信機；及び
前記少なくとも１つの送受信機に動作可能にカップリングされる少なくとも１つのプロセッサであって、少なくとも１つのＣＳＩ報告設定、少なくとも１つのリソース設定、及び測定設定を含むＣＳＩ設定に基づいてチャネル状態情報（ＣＳＩ）を報告するようにユーザ端末（ＵＥ）を構成するように構成される、前記少なくとも１つのプロセッサを含み、また
前記少なくとも１つの送受信機は前記ＵＥから決定されたＣＳＩを受信するように構成される、装置。
【請求項９】
前記測定設定は前記少なくとも１つのＣＳＩ報告設定の内の１つのＣＳＩ報告設定と前記少なくとも１つのリソース設定の内の１つのリソース設定の間のリンケージ表示を含み、また
前記１つのＣＳＩ報告設定と関連付けられたＣＳＩは前記１つのリソース設定と関連付けられた基準信号（ＲＳ）を測定することに基づいて決定される、請求項８に記載の装置。
【請求項１０】
前記１つのリソース設定はチャネル測定又は干渉測定のために構成される、請求項９に記載の装置。
【請求項１１】
前記１つのＣＳＩ報告設定は周期的、非周期的又は半永続的方式で報告されるようにＣＳＩを構成する、請求項９に記載の装置。
【請求項１２】
前記１つのＣＳＩ報告設定はチャネル品質インジケータ（ＣＱＩ）、プリコーディングマトリックスインジケータ（ＰＭＩ）、ランクインジケータ（ＲＩ）、又はＣＳＩ−ＲＳリソースインジケータ（ＣＲＩ）の内の少なくとも１つに対するＣＳＩパラメータ設定を含む、請求項９に記載の装置。
【請求項１３】
前記１つのＣＳＩ報告はＣＳＩを報告するための報告周期及びタイミングオフセットを含む、請求項９に記載の装置。
【請求項１４】
請求項１乃至７のいずれか一項に記載の装置を具現するように構成されるユーザ端末（ＵＥ）を動作させる方法。
【請求項１５】
請求項８乃至１３のいずれか一項に記載の装置を具現するように構成される基地局（ＢＳ）を動作させる方法。
【発明の詳細な説明】
【技術分野】
【０００１】
本開示は、一般にアップリンクＭＩＭＯを可能にする方法に関する。このような方法は、ユーザ端末が複数の送信アンテナ及び送受信ユニットを具備する場合に用いられ得る。
【背景技術】
【０００２】
４Ｇ通信システムの商用化以降、増加の趨勢にある無線データトラフィック需要を充足させるために、改善された５Ｇ通信システム又はｐｒｅ−５Ｇ通信システムを開発するための努力が注がれている。このような理由で、５Ｇ通信システム又はｐｒｅ−５Ｇ通信システムは、‘ビヨンド（Ｂｅｙｏｎｄ）４Ｇネットワーク’又は‘ポスト（Ｐｏｓｔ）ＬＴＥシステム’と呼ばれている。
【０００３】
高いデータ伝送率を達成するために、５Ｇ通信システムは、超高周波（ｍｍＷａｖｅ）帯域（例えば、２８ＧＨｚ又は６０Ｈｚ帯域）での具現が考慮されている。電波の経路損失を低減し送信距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、Ｄ２Ｄ（Ｄｅｖｉｃｅ  ｔｏ  Ｄｅｖｉｃｅ  ｃｏｍｍｕｎｉｃａｔｉｏｎ）通信、無線バックホール（ｗｉｒｅｌｅｓｓ  ｂａｃｋｈａｕｌ）、移動ネットワーク、協調通信、ＣｏＭＰ（Ｃｏｏｒｄｉｎａｔｅｄ  Ｍｕｌｔｉ−Ｐｏｉｎｔｓ）、受信干渉除去などの技術開発が行われている。
【０００５】
５Ｇシステムでは、改善されたコーディング変調（Ａｄｖａｎｃｅｄ  Ｃｏｄｉｎｇ  Ｍｏｄｕｌａｔｉｏｎ、ＡＣＭ）技術であるＦＱＡＭ（Ｈｙｂｒｉｄ  ＦＳＫ ａｎｄ  ＱＡＭ  Ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
無線通信は、現代史における最も成功した革新の１つである。無線データトラフィックの需要はスマートフォン及びタブレット、“ノートパッド”コンピュータ、ネットブック、電子ブックリーダ及び機械タイプの装置といった他の移動データ装置の消費者及びビジネス分野での人気が高まるにつれ急激に増加している。移動データトラフィックの急成長を充足させ、新しいアプリケーション及び配置をサポートするためには、無線インタフェース効率性及びカバレッジの改善が最も重要である。
【０００７】
移動装置又はユーザ端末は、ダウンリンクチャネルの品質を測定し、該品質を基地局に報告することによって移動装置と通信する間に各種パラメータが調整される必要があるかに対する決定が行われ得る。従来の無線通信システムにおけるチャネル品質報告プロセスは、大型、２次元アレイ送信アンテナ又は一般に複数のアンテナ素子を収容するアンテナアレイ構造と関連付けられたチャネル状態情報の報告を十分に収容することができない。
【発明の概要】
【課題を解決するための手段】
【０００８】
本開示の多様な実施形態は、ＣＳＩ報告のための方法及び装置を提供する。
【０００９】
一実施形態で、ユーザ端末（ＵＥ）が提供される。ＵＥは、チャネル状態情報（ｃｈａｎｎｅｌ  ｓｔａｔｅ  ｉｎｆｏｒｍａｔｉｏｎ、ＣＳＩ）計算及び報告のための構成情報を受信するように構成された送受信機を含む。構成情報は、少なくとも１つのＣＳＩ報告設定、少なくとも１つの基準信号（ＲＳ）設定及び測定設定を含む設定を含む。ＵＥは、また、送受信機に動作可能に接続されるプロセッサを含む。プロセッサは、構成情報をデコーディングし設定によってＣＳＩを計算するように構成される。送受信機は、また、アップリンク（ＵＬ）チャネルを通して計算されたＣＳＩを送信するように構成される。
【００１０】
他の実施形態で、基地局（ＢＳ）が提供される。ＢＳは、ＣＳＩ計算及び報告のための構成情報を生成するように構成されたプロセッサを含む。構成情報は、少なくとも１つのＣＳＩ報告設定、少なくとも１つのＲＳ設定及び測定設定を含む。ＢＳは、また、プロセッサに動作可能に接続された送受信機を含む。送受信機は、構成情報をＤＬチャネルを通してＵＥに送信し、構成情報によって計算されたＣＳＩ報告をＵＥから受信するように構成される。
【００１１】
他の実施形態で、ＵＥを動作させる方法が提供される。方法は、ＵＥによってＣＳＩ計算及び報告のための構成情報を受信するステップを含む。構成情報は、少なくとも１つのＣＳＩ報告設定、少なくとも１つのＲＳ設定及び測定設定を含む設定を含む。方法は、ＵＥによって構成情報をデコーディングするステップ；設定によってＵＥによってＣＳＩを計算するステップ；及びＵＥによって、計算されたＣＳＩをアップリンク（ＵＬ）チャネルを通して送信するステップをさらに含む。
【００１２】
多様な実施形態によれば、ユーザ端末（ＵＥ）の装置は、少なくとも１つの送受信機及び少なくとも１つの送受信機に動作可能にカップリングされる少なくとも１つのプロセッサを含む。少なくとも１つのプロセッサは、少なくとも１つのＣＳＩ報告設定、少なくとも１つのリソース設定及び測定設定を含むＣＳＩ設定に基づいてチャネル状態情報（ＣＳＩ）を決定するように構成される。少なくとも１つの送受信機は、決定されたＣＳＩを基地局（ＢＳ）に送信するように構成される。
【００１３】
多様な実施形態によれば、ＵＥを動作させる方法は、少なくとも１つのＣＳＩ報告設定、少なくとも１つのリソース設定、及び測定設定を含むＣＳＩ設定に基づいてＣＳＩを決定するステップ及び決定されたＣＳＩをＢＳに送信するステップを含む。
【００１４】
多様な実施形態によれば、ＢＳの装置は、少なくとも１つの送受信機及び少なくとも１つの送受信機に動作可能にカップリングされる少なくとも１つのプロセッサを含む。少なくとも１つのプロセッサは、少なくとも１つのＣＳＩ報告設定、少なくとも１つのリソース設定及び測定設定を含むＣＳＩ設定に基づいてＣＳＩを報告するようにＵＥを構成するように構成される。少なくとも１つの送受信機は、決定されたＣＳＩをＵＥから受信するように構成される。
【００１５】
多様な実施形態によれば、ＢＳを動作させる方法は、少なくとも１つのＣＳＩ報告設定、少なくとも１つのリソース設定、及び測定設定を含むＣＳＩ設定に基づいてＣＳＩを報告するようにＵＥを構成するステップ、並びに、決定されたＣＳＩをＵＥから受信するステップを含む。
【００１６】
本開示は、ＬＴＥ（Ｌｏｎｇ  ｔｅｒｍ  ｅｖｏｌｕｔｉｏｎ）のような４Ｇ（４ｔｈ−Ｇｅｎｅｒａｔｉｏｎ）通信システムより高いデータレートをサポートするために提供されるｐｒｅ−５Ｇ又は５Ｇ通信システムに関する。
【００１７】
他の技術的特徴は、次の図面、説明及び請求項から当業者に容易に明白になることができる。
【００１８】
以下の詳細な説明に入る前に、本特許明細書全体にわたって用いられる特定の単語及び句の定義を記載することが役に立つであろう。用語“カップル（ｃｏｕｐｌｅ）”及びその派生語は２つ以上の要素の間のある直接又は間接通信を指すか、それらの要素が互いに物理的に接触しているか否かを示す。用語“送信（ｔｒａｎｓｍｉｔ）”、“受信（ｒｅｃｅｉｖｅ）”及び“通信（ｃｏｍｍｕｎｉｃａｔｅ）”、並びにその派生語は直接通信及び間接通信をいずれも含む。用語“含む（ｉｎｃｌｕｄｅ）”及び“構成する（ｃｏｍｐｒｉｓｅ）”、並びにその派生語は制限なく含むことを意味する。用語“又は（ｏｒ）”は包括的用語で、及び／又はを意味する。句“〜と関連づけられる（ａｓｓｏｃｉａｔｅｄ  ｗｉｔｈ）”及びその派生語は、〜を含む（ｉｎｃｌｕｄｅ）、〜に含まれる（ｂｅ  ｉｎｃｌｕｄｅｄ  ｗｉｔｈｉｎ）、〜と結合する（ｉｎｔｅｒｃｏｎｎｅｃｔ  ｗｉｔｈ）、〜を含有する（ｃｏｎｔａｉｎ）、〜に含まれる（ｂｅ  ｃｏｎｔａｉｎｅｄ  ｗｉｔｈｉｎ）、〜に接続する（ｃｏｎｎｅｃｔ  ｔｏ  ｏｒ  ｗｉｔｈ）、〜と結合する（ｃｏｕｐｌｅ  ｔｏ  ｏｒ  ｗｉｔｈ）、〜伝達する（ｂｅ  ｃｏｍｍｕｎｉｃａｂｌｅ  ｗｉｔｈ）、〜と協力する（ｃｏｏｐｅｒａｔｅ  ｗｉｔｈ）、〜を挟む（ｉｎｔｅｒｌｅａｖｅ）、〜を並べる（ｊｕｘｔａｐｏｓｅ）、〜に隣接する（ｂｅ  ｐｒｏｘｉｍａｔｅ  ｔｏ）、縛る／縛られる（ｂｅ  ｂｏｕｎｄ  ｔｏ  ｏｒ  ｗｉｔｈ）、所有する（ｈａｖｅ）、属性を持つ（ｈａｖｅ  ａ  ｐｒｏｐｅｒｔｙ  ｏｆ）、〜と関係を持つ（ｈａｖｅ  ａ  ｒｅｌａｔｉｏｎｓｈｉｐ  ｔｏ  ｏｒ  ｗｉｔｈ）などを意味する。用語“制御機（ｃｏｎｔｒｏｌｌｅｒ）”は、少なくとも１つの動作を制御するある装置、システム又はその一部を意味する。このような制御機は、ハードウェア又はハードウェアとソフトウェアの組み合わせ及び／又はファームウェアで具現され得る。特定のコントローラと関連づけられた機能はローカル又は遠隔で中央集中式で処理（ｃｅｎｔｒａｌｉｚｅｄ）されるか、又は分散式で処理（ｄｉｓｔｒｉｂｕｔｅｄ）され得る。句“少なくとも１つ”は、それが項目のリストと共に用いられる場合、並べられた項目の内の１つ以上の異なった組み合わせが用いられ得ることを意味する。例えば、“Ａ、Ｂ、及びＣの内の少なくとも１つ”は次の組み合わせ、すなわちＡ、Ｂ、Ｃ、ＡとＢ、ＡとＣ、ＢとＣ、さらには、ＡとＢとＣの内のいずれか１つを含む。
【００１９】
また、後述する各種機能はコンピュータ読み取り可能なプログラムコードで形成されコンピュータ読み取り可能な媒体で具現される１つ以上のコンピュータプログラムの各々によって具現又はサポートされ得る。用語“アプリケーション”及び“プログラム”は、１つ以上のコンピュータプログラム、ソフトウェアコンポーネント、命令セット、手順、関数、オブジェクト、クラス、インスタンス、関連データ、又は適したコンピュータ読み取り可能なプログラムコードでの具現用に構成されたその一部を指す。句“コンピュータ読み取り可能なプログラムコード”は、ソースコード、オブジェクトコード、及び実行可能なコードを含むコンピュータコードの種類を含む。句“コンピュータ読み取り可能な媒体”は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスクドライブ、コンパクトディスク（ＣＤ）、デジタルビデオディスク（ＤＶＤ）、又は任意の他のタイプのメモリといった、コンピュータによってアクセスされ得る任意のタイプの媒体を含む。“非一時的な”コンピュータ読み取り可能な媒体は、有線、無線、光学、一時的な電気的又は他の信号を伝達する通信リンクを除く。非一時的コンピュータ読み取り可能な媒体は、データが永続的に保存される媒体、そして、再起録が可能な光ディスク又は消去可能なメモリ装置といった、データが記憶され後で上書きされる媒体を含む。
【００２０】
他の特定単語及び句に対する定義が本特許明細書全般にわたって提供される。当業者は大半ではないにしろ多くの場合において、そのような定義が従来だけでなくそのように定義された単語及び句の将来の使用に適用され得ることを理解すべきである。
【図面の簡単な説明】
【００２１】
本開示及びその利点に対するより完全な理解のために、以下、添付図面と共に行われる次の説明に対する参照がなされ、図面における類似の符号は類似の部分を示す。
【００２２】
【図１】本開示の多様な実施形態による例示的な無線ネットワークを示す図である。
【図２Ａ】本開示の多様な実施形態による例示的な無線送信及び受信経路を示す図である。
【図２Ｂ】本開示の多様な実施形態による例示的な無線送信及び受信経路を示す図である。
【図３Ａ】本開示の多様な実施形態による例示的なユーザ端末を示す図である。
【図３Ｂ】本開示の多様な実施形態による例示的な基地局（ＢＳ）を示す図である。
【図４】１つのＣＳＩ−ＲＳポートが複数のアナログ制御アンテナ素子にマッピングされる例示的なビームフォーミングアーキテクチャを示す図である。
【図５Ａ】本開示の一実施形態による４つのＣＳＩ報告設定及び４つの基準信号設定を有するＤＬに対する例示的な実施形態を示す図である。
【図５Ｂ】本開示の一実施形態による４つのＣＳＩ報告設定、３つの基準信号設定及び１つの干渉測定設定を有するＤＬに対する例示的な実施形態を示す図である。
【図５Ｃ】本開示の一実施形態による２つのＤＬシグナリング設定、２つの基準信号設定及び１つの干渉測定設定を有するＵＬに対する例示的な実施形態を示す図である。
【図６】本開示の一実施形態による例示的なＣＳＩ報告設定を示す図である。
【図７】本開示の一実施形態による２つのＤＬシグナリング設定及び３つの基準信号設定を有するＵＬに対する例示的な実施形態を示す図である。
【図８】本開示の一実施形態による例示的なＤＬシグナリング設定を示す図である。
【図９Ａ】本開示の一実施形態による連続的な時間ドメインＲＳ多重化方式を示す図である。
【図９Ｂ】本開示の一実施形態による非連続的な時間ドメインＲＳ多重化方式を示す図である。
【図９Ｃ】本開示の一実施形態による周波数ドメインＲＳ多重化方式を示す図である。
【図１０】本開示の一実施形態によるＣＳＩ報告構成のための３つのグループの間の例示的な関係を示す図である。
【図１１】本開示の一実施形態による２つのＤＬシグナリング設定及び２つの基準信号設定を有するＤＬに対する例示的な実施形態を示す図である。
【図１２】本開示の一実施形態による構成可能なＣＳＩ報告プロセスを示す図である。
【図１３】本開示の一実施形態によってＵＥがチャネル状態情報（ＣＳＩ）計算及び報告のための構成情報を受信する例示的な方法に対するフローチャートを示す図である。
【図１４】本開示の一実施形態によってＢＳがＵＥ（ＵＥ−ｋと表記される）に対するチャネル状態情報（ＣＳＩ）計算及び報告のための構成情報を生成する例示的な方法に対するフローチャートを示す図である。
【発明を実施するための形態】
【００２３】
以下、論議される図１乃至図１４及び本特許文献で本開示の原理を説明するために用いられる多様な実施形態は単なる説明のためのものであって本開示の範囲を制限するものとして解釈されてはならない。当業者は本開示の原理が任意の適切に構成された無線通信システムで具現され得ることを理解できるであろう。
【００２４】
略語リスト
【００２５】
【数１】
2019532564.tif 000003
【００２６】
【数２】
2019532564.tif 000004
【００２７】
次の文献及び標準説明、すなわち、３ＧＰＰ  Ｔｅｃｈｎｉｃａｌ  Ｓｐｅｃｉｆｉｃａｔｉｏｎ（ＴＳ）３６．２１１  ｖｅｒｓｉｏｎ  １２．４．０、“Ｅ−ＵＴＲＡ、Ｐｈｙｓｉｃａｌ  ｃｈａｎｎｅｌｓ  ａｎｄ  ｍｏｄｕｌａｔｉｏｎ”（“ＲＥＦ１”）；３ＧＰＰ  ＴＳ  ３６．２１２  ｖｅｒｓｉｏｎ  １２．３．０、“Ｅ−ＵＴＲＡ、Ｍｕｌｔｉｐｌｅｘｉｎｇ  ａｎｄ  Ｃｈａｎｎｅｌ  ｃｏｄｉｎｇ”（“ＲＥＦ２”）；３ＧＰＰ  ＴＳ  ３６．２１３  ｖｅｒｓｉｏｎ  １２．４．０、“Ｅ−ＵＴＲＡ、Ｐｈｙｓｉｃａｌ  Ｌａｙｅｒ  Ｐｒｏｃｅｄｕｒｅｓ”（“ＲＥＦ３”）；３ＧＰＰ  ＴＳ  ３６．３２１  ｖｅｒｓｉｏｎ  １２．４．０、“Ｅ−ＵＴＲＡ、Ｍｅｄｉｕｍ  Ａｃｃｅｓｓ  Ｃｏｎｔｒｏｌ（ＭＡＣ）  Ｐｒｏｔｏｃｏｌ  Ｓｐｅｃｉｆｉｃａｔｉｏｎ”（“ＲＥＦ４”）；及び３ＧＰＰ  ＴＳ  ３６．３３１  ｖｅｒｓｉｏｎ  １２．４．０、“Ｅ−ＵＴＲＡ、Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ”（“ＲＥＦ５”）は、本明細書で完全に説明されたように参照として本開示に統合される。
【００２８】
図１は、本開示の多様な実施形態による例示的無線ネットワーク１００を示す図である。図１に示す無線ネットワーク１００の実施形態は単なる説明のためのものである。無線ネットワーク１００に対する他の実施形態が本開示の範囲から逸脱しない範囲内で用いられることができる。
【００２９】
無線ネットワーク１００は、基地局（ＢＳ）１０１、ＢＳ１０２、及びＢＳ１０３を含む。ＢＳ１０１は、ＢＳ１０２及びＢＳ１０３と通信する。また、ＢＳ１０１は、少なくとも１つのＩＰ（Ｉｎｔｅｒｎｅｔ  Ｐｒｏｔｏｃｏｌ）ネットワーク１３０、例えば、インターネット、専用ＩＰネットワーク、又は他のデータネットワークとも通信する。“ＢＳ”の代わりに、“ｅＮＢ（ｅｎｈａｎｃｅｄ  Ｎｏｄｅ  Ｂ）又は“ｇＮＢ”（ｇｅｎｅｒａｌ  Ｎｏｄｅ  Ｂ）のような代案の用語を用いることもできる。ネットワークタイプによって、“基地局”又は“アクセスポイント”のような“ｇＮＢ”又は“ＢＳ”の代わりに他の周知の用語を用いることもできる。便宜上、用語“ｇＮＢ”及び“ＢＳ”は本特許文書で遠隔端末に無線アクセスを提供するネットワークインフラストラクチャコンポーネントを指すために用いられる。また、ネットワークタイプによって、“移動局”、“加入者局”、“遠隔端末”、“無線端末”又は“ユーザ装置”のような“ユーザ端末”又は“ＵＥ”の代わりに他の周知の用語が用いられ得る。便宜上、用語“ユーザ端末”及び“ＵＥ”は、ＵＥが移動装置（例えば、携帯電話又はスマートフォン）であろうと一般に考慮される固定式装置（例えば、デスクトップコンピュータ又はベンディングマシン）であろうと、ｇＮＢに無線でアクセスする遠隔無線端末を指すものとして本特許明細書では用いられる。
【００３０】
ｇＮＢ１０２は、ｇＮＢ１０２のカバレッジ領域１２０内にある第１の複数のユーザ端末（ＵＥ）に、ネットワーク１３０への無線広帯域アクセスを提供する。第１の複数のＵＥは中小企業（ｓｍａｌｌ  ｂｕｓｉｎｅｓｓ、ＳＢ）に位置し得るＵＥ１１１；大企業（Ｅ）に位置し得るＵＥ１１２；ワイファイホットスポット（ｈｏｔｓｐｏｔ、ＨＳ）に位置し得るＵＥ１１３；第１住居地域（ｒｅｓｉｄｅｎｃｅ、Ｒ）に位置し得るＵＥ１１４；第２住居地域（Ｒ）に位置し得るＵＥ１１５；及び携帯電話、無線ラップトップ、無線ＰＤＡなどといったモバイル装置（Ｍ）であり得るＵＥ１１６を含む。ｇＮＢ１０３は、ｇＮＢ１０３のカバレッジ領域１２５内にある第２の複数のＵＥに、ネットワーク１３０への無線広帯域アクセスを提供する。第２の複数のＵＥはＵＥ１１５及びＵＥ１１６を含む。一部の実施形態で、ｇＮＢ１０１−１０３の内の１つ以上のｇＮＢは５Ｇ、ＬＴＥ、ＬＴＥ−Ａ、ＷｉＭＡＸ、又は他の進歩した無線通信技術を用いて互いに及びＵＥ１１１−１１６と通信できる。
【００３１】
点線は、単なる例示及び説明の目的に略円形で示すカバレッジ領域１２０及び１２５の概略的な範囲を示す。ｇＮＢと関連付けられたカバレッジ領域、例えば、カバレッジ領域１２０及び１２５はｇＮＢの構成、及び自然及び人工障害物と関連付けられた無線環境の変化によって、不規則な形態を含む他の形態を持つことができることを明確に理解すべきである。
【００３２】
以下、詳しく説明されるように、ｇＮＢ１０１、ｇＮＢ１０２、及びｇＮＢ１０３の内の１つ以上は測定基準信号をＵＥら１１１−１１６に送信し、本開示の実施形態で説明されるようにＣＳＩ報告のためにＵＥ１１１−１１６を構成する。多様な実施形態で、ＵＥ１１１−１１６の内の１つ以上はＣＳＩ獲得構成情報を受信し、それによって報告を送信する。
【００３３】
図１が無線ネットワーク１００の一例を示しているが、多様な変化が図１に対して行われ得る。例えば、無線ネットワーク１００は、任意の適切な配列に任意の個数のｇＮＢら及び任意の個数のＵＥを含むことができる。また、ｇＮＢ１０１は任意の個数のＵＥと直接通信し、該ＵＥにネットワーク１３０への無線広帯域アクセスを提供できる。これと同様に、各ｇＮＢ１０２−１０３は、ネットワーク１３０と直接通信し、ＵＥにネットワーク１３０への直接無線広帯域アクセスを提供できる。また、ｇＮＢ１０１、１０２、及び／又は１０３は、外部電話ネットワーク又は他のタイプのデータネットワークのような他の又は追加的な外部ネットワークへのアクセスを提供できる。
【００３４】
図２Ａ及び図２Ｂは、本開示による例示的な無線送信及び受信経路を示す図である。以下の説明で、送信経路２００は、ｇＮＢ（例えば、ｇＮＢ１０２）で具現されるものとして説明されることができ、受信経路２５０は、ＵＥ（例えば、ＵＥ１１６）で具現されるもので説明され得る。しかし、受信経路２５０がｇＮＢで具現されることもでき、送信経路２００がＵＥで具現されることもできることを理解できるあろう。一部の実施形態では、本開示の実施形態で説明されるように受信経路２５０がＣＳＩ獲得構成情報に構成され、それに応じてＣＳＩ報告を送信する。
【００３５】
送信経路２００は、チャネルコーディング及び変調ブロック２０５、直列−並列（Ｓ−ｔｏ−Ｐ）ブロック２１０、サイズＮ逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）ブロック２１５、並列−直列（Ｐ−ｔｏ−Ｓ）ブロック２２０、‘サイクリックプレフィックス加算’ブロック２２５、及びアップ−コンバータ（ｕｐ−ｃｏｎｖｅｒｔｅｒ、ＵＣ）２３０を含む。受信経路２５０は、ダウン−コンバータ（ｄｏｗｎ−ｃｏｎｖｅｒｔｅｒ、ＤＣ）２５５、‘サイクリックプレフィックス除去’ブロック２６０、直列−並列（Ｓ−ｔｏ−Ｐ）ブロック２６５、サイズＮ高速フーリエ変換（Ｆａｓｔ  Ｆｏｕｒｉｅｒ  Ｔｒａｎｓｆｏｒｍ、ＦＦＴ）ブロック２７０、並列−直列（Ｐ−ｔｏ−Ｓ）ブロック２７５、及びチャネルデコーディング及び復調ブロック２８０を含む。
【００３６】
送信経路２００で、チャネルコーディング及び変調ブロック２０５は、情報ビットのセットを受信し、コーディング（例えば、折り畳み、ターボ、又はＬＤＰＣ（ｌｏｗ−ｄｅｎｓｉｔｙ  ｐａｒｉｔｙ  ｃｈｅｃｋ）コーディング）を適用し、その入力ビットを変調（例えば、ＱＰＳＫ（Ｑｕａｄｒａｔｕｒｅ  Ｐｈａｓｅ  Ｓｈｉｆｔ  Ｋｅｙｉｎｇ）又はＱＡＭ（Ｑｕａｄｒａｔｕｒｅ  Ａｍｐｌｉｔｕｄｅ  Ｍｏｄｕｌａｔｉｏｎ））することで、周波数ドメイン変調シンボルのシーケンスを生成する。直列−並列ブロック２１０は、直列変調されたシンボルを並列データに変換（例えば、逆多重化）してＮ並列シンボルストリームを生成し、ここで、ＮはｇＮＢ１０２及びＵＥ１１６で用いられるＩＦＦＴ／ＦＦＴ大きさである。サイズＮ  ＩＦＦＴブロック２１５は、Ｎ並列シンボルストリーム上でＩＦＦＴ動作を行って、時間ドメイン出力信号を生成する。並列−直列ブロック２２０は、サイズＮ  ＩＦＦＴブロック２１５からの並列時間ドメイン出力シンボルを変換（例えば、多重化）して、直列時間ドメイン信号を生成する。‘サイクリックプレフィックス加算’ブロック２２５は、時間ドメイン信号にサイクリックプレフィックスを挿入する。ＵＣ２３０は、無線チャネルによる送信のために‘サイクリックプレフィックス加算’ブロック２２５の出力をＲＦ周波数に変調（例えば、アップコンバート）する。また、該信号はＲＦ周波数に変換する以前に、基底帯域でフィルタリングされることもできる。
【００３７】
ｇＮＢ１０２から送信されたＲＦ信号は無線チャネルを通過した後、ＵＥ１１６に到達し、ｇＮＢ１０２での動作に対する逆動作がＵＥ１１６で行われる。ＤＣ２５５は、受信された信号を基底帯域周波数にダウンコンバートして、‘サイクリックプレフィックス除去’ブロック２６０は、そのサイクリックプレフィックスを除去して、直列時間ドメイン基底帯域信号を生成する。直列−並列ブロック２６５は、時間ドメイン基底帯域信号を並列時間ドメイン信号に変換する。サイズＮ  ＦＦＴブロック２７０は、ＦＦＴアルゴリズムを行ってＮ並列周波数ドメイン信号を生成する。並列−直列ブロック２７５は、並列周波数ドメイン信号を変調されたデータシンボルのシーケンスに変換する。チャネルデコーディング及び復調ブロック２８０は、その変調されたシンボルに対する復調を行った後にデコーディングすることによって、元の入力データストリームを復元する。
【００３８】
以下、詳細に説明されるように、送信経路２００又は、受信経路２５０はＣＳＩ報告のためのシグナリングを行うことができる。ｇＮＢ１０１−１０３の各々はＵＥ１１１−１１６へのダウンリンク送信と類似した送信経路２００を具現でき、ＵＥ１１１−１１６からのアップリンク受信と類似した受信経路２５０を具現することもできる。これと同様に、ＵＥ１１１−１１６の各々はｇＮＢ１０１−１０３へのアップリンク送信のための送信経路２００を具現でき、ｇＮＢ１０１−１０３からのダウンリンク受信のための受信経路２５０を具現することもできる。
【００３９】
図２Ａ及び図２Ｂのコンポーネントの各々はハードウェアのみ用いて具現されるか、又はハードウェア及びソフトウェア／ファームウェアの組み合わせを用いて具現され得る。特定例として、図２Ａ及び図２Ｂのコンポーネントの内の少なくとも一部はソフトウェアで具現されることができ、一方で、他のコンポーネントは構成可能なハードウェア又はソフトウェアと構成可能なハードウェアの混合によって具現され得る。例えば、ＦＦＴブロック２７０及びＩＦＦＴブロック２１５は、構成可能なソフトウェアアルゴリズムとして具現されることができ、ここで、サイズＮの値はその具現によって修正できる。
【００４０】
また、ＦＦＴ及びＩＦＦＴを用いて説明されたが、これは単なる例示によるものに過ぎず、本開示の範囲を限定するものとして解釈されてはならない。他のタイプの変換、例えば、離散フーリエ変換（Ｄｉｓｃｒｅｔｅ  Ｆｏｕｒｉｅｒ  Ｔｒａｎｓｆｏｒｍ、ＤＦＴ）及び逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）関数が用いられることもできる。ＤＦＴ及びＩＤＦＴ関数の場合、変数Ｎの値は任意の整数（例えば、１、２、３、４等）であることことができ、ＦＦＴ及びＩＦＦＴ関数の場合、変数Ｎの値は２の自乗（例えば、１、２、４、８、１６等）である任意の整数であり得ることを理解すべきである。
【００４１】
図２Ａ及び図２Ｂが無線送信及び受信経路の例を示すが、多様な変化が図２Ａ及び図２Ｂに対して行われ得る。例えば、図２Ａ及び図２Ｂの各種コンポーネントが組み合わせられるか、さらに細分化されるか、又は省略されることができ、特定の必要に応じて追加的なコンポーネントが付加されることもできる。また、図２Ａ及び図２Ｂは無線ネットワークで用いられ得る送信及び受信経路のタイプの例を説明するためのものである。他の適合したアーキテクチャが無線ネットワークで無線通信をサポートするために用いられ得る。
【００４２】
図３Ａは、本開示による例示的なＵＥ１１６を示す図である。図３Ａに示すＵＥ１１６の実施形態は単なる説明のためのものであって、図１のＵＥ１１１−１１５は同じ又は類似の構成を有し得る。しかし、ＵＥは各種の多様な構成からなり、図３ＡがＵＥに対する任意の特定の具現で本開示の範囲を制限しない。
【００４３】
ＵＥ１１６は、アンテナ３０５、無線周波数（ｒａｄｉｏ  ｆｒｅｑｕｅｎｃｙ、ＲＦ）送受信機３１０、送信（ＴＸ）処理回路３１５、マイクロホン３２０、及び受信（ＲＸ）処理回路３２５を含む。また、ＵＥ１１６は、スピーカ３３０、プロセッサ３４０、入／出力（Ｉ／Ｏ）インタフェース３４５、入力部３５０、ディスプレイ３５５、及びメモリ３６０を含む。メモリ３６０は、オペレーティングシステム（ＯＳ）プログラム３６１及び１つ以上のアプリケーション３６２を含む。
【００４４】
ＲＦ送受信機３１０は、図１の無線ネットワーク１００のｇＮＢによって送信される入力ＲＦ信号をアンテナ３０５から受信する。ＲＦ送受信機３１０は、入力ＲＦ信号をダウンコンバートして、中間周波数（ＩＦ）又は基底帯域信号を生成する。ＩＦ又は基底帯域信号は、その基底帯域又はＩＦ信号をフィルタリング、デコーディング、及び／又はデジタル化することによって処理された基底帯域信号を生成するＲＸ処理回路３２５に伝送される。ＲＸ処理回路３２５は、その処理された基底帯域信号を、スピーカ３３０に送信したり（例えば、音声データ）、又は追加的な処理のためにプロセッサ３４０に送信する（例えば、ウェブブラウジングデータ）。
【００４５】
ＴＸ処理回路３１５は、マイクロホン３２０からアナログ又はデジタル音声データを受信したり、又はプロセッサ３４０から他の送出基底帯域データ（例えば、ウェブデータ、電子メール、又は双方向ビデオゲームデータ）を受信する。ＴＸ処理回路３１５は、その送出基底帯域データをエンコーディング、多重化、及び／又はデジタル化して、処理された基底帯域又はＩＦ信号を生成する。ＲＦ送受信機３１０は、ＴＸ処理回路３１５から送出処理された基底帯域又はＩＦ信号を受信し、その基底帯域又はＩＦ信号を、アンテナ３0５を介して送信されるＲＦ信号にアップコンバートする。
【００４６】
プロセッサ３４０は、１つ以上のプロセッサ又は他の処理装置を含むことができ、メモリ３６０に記憶されたＯＳプログラム３６１を実行することによってＵＥ１１６の全般的な動作を制御できる。例えば、プロセッサ３４０は、周知の原理に従ってＲＦ送受信機３１０、ＲＸ処理回路３２５、及びＴＸ処理回路３１５によって順方向チャネル信号の受信及び逆方向チャネル信号の送信を制御できる。一部の実施形態で、プロセッサ３４０は、少なくとも１つのマイクロプロセッサ又はマイクロ制御機を含む。
【００４７】
プロセッサ３４０は、本開示の実施形態で説明されたように、本開示の実施形態で説明されたシステムに対するＣＱＩ測定及び報告のための動作といった、メモリ３６０に常駐する他のプロセス及びプログラムも実行できる。プロセッサ３４０は、実行プロセスによる要求に応じてメモリ３６０内に又は外部にデータを移動できる。一部の実施形態で、プロセッサ３４０は、ＯＳプログラム３６１に基づいて又はｇＮＢ又はオペレータから受信された信号に応じてアプリケーション３６２を実行するように構成される。また、プロセッサ３４０は、ラップトップコンピュータ及び携帯用コンピュータのといった他の装置に接続される能力をＵＥ１１６に提供するＩ／Ｏインタフェース３４５にカップリングされている。Ｉ／Ｏインタフェース３４５は、その周辺機器とプロセッサ３４０の間の通信経路である。
【００４８】
また、プロセッサ３４０は、入力部３５０（例えば、キーパッド、タッチスクリーン、ボタン等）及びディスプレイ３５５にカップリングされる。ＵＥ１１６のオペレータは入力部３５０を用いてＵＥ１１６にデータを入力できる。ディスプレイ３５５は、例えば、ウェブサイトからのテキスト及び／又は少なくとも制限されたグラフィックをレンダリングできる液晶表示装置又は他のディスプレイであり得る。
【００４９】
メモリ３６０は、プロセッサ３４０にカップリングされる。メモリ３６０の一部はランダムアクセスメモリ（ｒａｎｄｏｍ  ａｃｃｅｓｓ  ｍｅｍｏｒｙ、ＲＡＭ）を含むことができ、メモリ３６０の他の一部はフラッシュメモリ又は他の読み取り専用メモリ（ｒｅａｄ−ｏｎｌｙ  ｍｅｍｏｒｙ、ＲＯＭ）を含むことができる。
【００５０】
以下、より詳細に説明されるように、ＵＥ１１６は、ＣＳＩ報告のためのシグナリング及び計算を行うことができる。図３ＡがＵＥ１１６の一例を示しているが、多様な変化が図３Ａに対して行われ得る。例えば、図３Ａの各種コンポーネントが組み合わせられるか、さらに細分化されるか、又は省略されることができ、特定の必要に応じて追加的なコンポーネントが付加されることもできる。一特定例として、プロセッサ３４０は、複数のプロセッサ、例えば、１つ以上の中央処理ユニット（ＣＰＵ）及び１つ以上のグラフィック処理ユニット（ＧＰＵ）に分割され得る。また、図３Ａがモバイル電話やスマートフォンとして構成されるＵＥ１１６を示すが、ＵＥは他のタイプのモバイル又は固定式装置として動作するように構成されることもできる。
【００５１】
多様な実施形態によれば、ユーザ端末（ＵＥ）はチャネル状態情報（ＣＳＩ）計算及び報告のための構成情報を受信するように構成された送受信機であって、構成情報は、少なくとも１つのＣＳＩ報告設定、少なくとも１つの基準信号（ＲＳ）設定及び測定設定を含む設定を含む、送受信機；及び送受信機に動作可能に接続されたプロセッサであって、構成情報をデコーディングして設定によってＣＳＩを計算するように構成される、プロセッサを含む。送受信機は、計算されたＣＳＩをアップリンク（ＵＬ）チャネルを通して送信するようにさらに構成される。
【００５２】
一部の実施形態で、構成情報は、上位層シグナリングによって受信される。
【００５３】
図３Ｂは、本開示による例示的ｇＮＢ１０２を示す図である。図３Ｂに示すｇＮＢ１０２の実施形態は単なる説明のためのものであって、図１の他のｇＮＢと同じ又は類似の構成を有し得る。しかし、ｇＮＢは各種の多様な構成からなり、図３ＢがｇＮＢに対する任意の特定の具現で本開示の範囲を制限しない。ｇＮＢ１０１及びｇＮＢ１０３はｇＮＢ１０２と同じ又は類似の構造を含むことができる。
【００５４】
図３Ｂに示すように、ｇＮＢ１０２は、複数のアンテナ３７０ａ−３７０ｎ、複数のＲＦ送受信機３７２ａ−３７２ｎ、送信（ＴＸ）処理回路３７４、及び受信（ＲＸ）処理回路３７６を含む。特定の実施形態で、複数のアンテナ３７０ａ−３７０ｎの内の１つ以上は２Ｄアンテナアレイを含む。また、ｇＮＢ１０２は、制御機／プロセッサ３７８、メモリ３８０、及びバックホール又はネットワークインタフェース３８２を含む。
【００５５】
ＲＦ送受信機３７２ａ−３７２ｎは、アンテナ３７０ａ−３７０ｎから、ＵＥ又は他のｇＮＢによって送信される信号と同じ入力ＲＦ信号を受信する。ＲＦ送受信機３７２ａ−３７２ｎは入力ＲＦ信号をダウンコンバートして、ＩＦ又は基底帯域信号を生成する。ＩＦ又は基底帯域信号は、基底帯域又はＩＦ信号をフィルタリング、デコーディング、及び／又はデジタル化することによって処理された基底帯域信号を生成するＲＸ処理回路３７６に伝送される。ＲＸ処理回路３７６は、該処理された基底帯域信号を、追加的な処理のために制御機／プロセッサ３７８に送信する。
【００５６】
ＴＸ処理回路３７４は、制御機／プロセッサ３７８からアナログ又はデジタルデータ（例えば、音声データ、ウェブデータ、電子メール、又は双方向ビデオゲームデータ）を受信する。ＴＸ処理回路３７４は、送出基底帯域データをエンコーディング、多重化、及び／又はデジタル化して、処理された基底帯域又はＩＦ信号を生成する。ＲＦ送受信機３７２ａ−３７２ｎは、ＴＸ処理回路３７４から、送出処理された基底帯域又はＩＦ信号を受信し、その基底帯域又はＩＦ信号を、アンテナ３７０ａ−３７０ｎを介して送信されるＲＦ信号にアップコンバートする。
【００５７】
制御機／プロセッサ３７８は、ｇＮＢ１０２の全般的な動作を制御する１つ以上のプロセッサ又は他の処理装置を含むことができる。例えば、制御機／プロセッサ３７８は、周知の原理に従ってＲＦ送受信機３７２ａ−３７２ｎ、ＲＸ処理回路３７６、及びＴＸ処理回路３７４によって順方向チャネル信号の受信及び逆方向チャネル信号の送信を制御できる。制御機／プロセッサ３７８は、より進歩した無線通信機能のような追加機能もサポートできる。一部の実施形態で、制御機／プロセッサ３７８は、少なくとも１つのマイクロプロセッサ又はマイクロ制御機を含む。
【００５８】
また、制御機／プロセッサ３７８は、メモリ３８０に常駐するプログラム及び他のプロセス、例えば、ＯＳを実行できる。制御機／プロセッサ３７８は、また、本開示の実施形態で説明されたように、２Ｄアンテナアレイを有するシステムに対するチャネル品質測定及び報告をサポートできる。一部の実施形態で、制御機／プロセッサ３７８は、ウェブＲＴＣのようなエンティティの間の通信をサポートする。制御機／プロセッサ３７８は、実行プロセスによる要求に応じてデータをメモリ３８０内に又は外部に移動させることができる。
【００５９】
また、制御機／プロセッサ３７８は、バックホール又はネットワークインタフェース３８２にカップリングされる。バックホール又はネットワークインタフェース３８２は、ｇＮＢ１０２がバックホール接続を介して又はネットワークを介して他の装置又はシステムと通信することを可能にする。バックホール又はネットワークインタフェース３８２は、任意の適切な有線又は無線接続（ら）を介した通信をサポートできる。例えば、ｇＮＢ１０２がセルラー通信システム（例えば、５Ｇ、新しい無線アクセス技術又はＮＲ、ＬＴＥ、又はＬＴＥ−Ａをサポートするもの）の一部として具現される場合、バックホール又はネットワークインタフェース３８２は、ｇＮＢ１０２が有線又は無線バックホール接続を介して他のｇＮＢと通信することを可能にできる。ｇＮＢ１０２がアクセスポイントとして具現される場合、バックホール又はネットワークインタフェース３８２は、ｇＮＢ１０２が有線又は無線ローカル領域ネットワークを介して又はより大きなネットワーク（例えば、インターネット）に対する有線又は無線接続を介して通信することを可能にする。バックホール又はネットワークインタフェース３８２は、有線又は無線接続、例えば、イーサネット（登録商標）又はＲＦ送受信機を介した通信をサポートする任意の適切な構造を含む。
【００６０】
メモリ３８０は、制御機／プロセッサ３７８にカップリングされる。メモリ３８０の一部はＲＡＭを含むことができ、メモリ３８０の他の一部はフラッシュメモリ又は他のＲＯＭを含むことができる。特定の実施形態で、ＢＩＳアルゴリズムのような複数の命令がメモリに記憶される。複数の命令は制御機／プロセッサ３７８にＢＩＳプロセスを行わせ、ＢＩＳアルゴリズムによって決定された少なくとも１つの干渉信号を除去した後に受信信号をデコーディングさせるように構成される。
【００６１】
以下、さらに詳細に説明されるように、（ＲＦ送受信機ら３７２ａ−３７２ｎ、ＴＸ処理回路３７４及び／又はＲＸ処理回路３７６を用いて具現される）ｇＮＢ１０２の送信及び受信経路はＣＳＩ獲得のための構成及びシグナリングを行う。
【００６２】
図３ＢがｇＮＢ１０２の一例を示すが、多様な変化が図３Ｂに対して行われ得る。例えば、ｇＮＢ１０２は図３Ｂに示す各コンポーネントに対する任意の個数を含むことができる。一特定例として、アクセスポイントは複数のバックホール又はネットワークインタフェース３８２を含むことができ、制御機／プロセッサ３７８は、異なったネットワークアドレスの間でデータをルーティングするルーティング機能をサポートできる。他の特定例として、単一インスタンスのＴＸ処理回路３７４及び単一インスタンスのＲＸ処理回路３７６を含むと示しているが、ｇＮＢ１０２はそれぞれに対する複数のインスタンスを含むことができる（例えば、ＲＦ送受信機あたり１つ）。
【００６３】
多様な実施形態によれば、基地局（ＢＳ）はチャネル状態情報（ＣＳＩ）計算及び報告のための構成情報を生成するように構成されたプロセッサ及び上記プロセッサに動作可能に接続された送受信機を含む。構成情報は、少なくとも１つのＣＳＩ報告設定、少なくとも１つの基準信号（ＲＳ）設定及び測定設定を含む。送受信機は、ダウンリンク（ＤＬ）チャネルを通して構成情報をＵＥに送信し、構成情報によって計算されたＣＳＩ報告をＵＥから受信するように構成される。
【００６４】
一部の実施形態で、構成情報は上位層シグナリングによって送／受信される。
【００６５】
Ｒｅｌ．１３  ＬＴＥは最大１６個のＣＳＩ−ＲＳアンテナポートをサポートするのでｇＮＢが多数のアンテナ素子（例えば、６４又は１２８）を装着できるようになる。この場合、複数のアンテナ素子が１つのＣＳＩ−ＲＳポート上にマッピングされる。また、Ｒｅｌ．１４  ＬＴＥでは最大３２つのＣＳＩ−ＲＳポートがサポートされる。５Ｇのような次世代セルラーシステムの場合、ＣＳＩ−ＲＳポートの最大数はほぼ同一に維持されると予想される。
【００６６】
ｍｍＷａｖｅ帯域の場合、アンテナ素子数が与えられたフォームファクタに対してより大きい場合があるが、ＣＳＩ−ＲＳポートの数（デジタルプリコーディングされたポートの数に対応する）は図４の実施形態４００に示すようにハードウェア制約によって制限される傾向がある（例えば、複数のＡＤＣ／ＤＡＣをｍｍＷａｖｅ周波数で設置できる実現可能性）。この場合、１つのＣＳＩ−ＲＳポートはアナログ位相シフタ４０１のバンクによって制御され得る複数のアンテナ素子上にマッピングされる。１つのＣＳＩ−ＲＳポートはアナログビームフォーミング４０５によって狭いアナログビームを生成する１つのサブアレイに対応できる。このようなアナログビームはシンボル又はサブフレーム又はスロット（１サブフレーム又は１スロットはシンボルの集合を含む）にわたる位相シフタバンクを変化させることによってより広い角度範囲４２０でスウィーピングするように構成され得る。サブアレイの数（ＲＦチェーンの数と同じ）はＣＳＩ−ＲＳポートの数ＮＣＳＩ−ＰＯＲＴと同じである。デジタルビームフォーミングユニット４１０は、プリコーディング利得を追加的に増加させるためにＮＣＳＩ−ＰＯＲＴアナログビーム全般にわたって線型結合を行う。アナログビームが広帯域（したがって、周波数選択的ではない）であるが、デジタルプリコーディングは周波数サブ帯域又はリソースブロックによって異なることができる。
【００６７】
デジタルプリコーディングを可能にするためには、効率的なＣＳＩ−ＲＳ設計が重要な要素である。このような理由で、３つの類型のＣＳＩ−ＲＳ測定動作に該当する次のような３つの類型のＣＳＩ報告メカニズムがＲｅｌ．１３  ＬＴＥでサポートされる：１）非−プリコーディングされたＣＳＩ−ＲＳに該当する‘クラスＡ’ＣＳＩ報告；２）ＵＥ−特定ビームフォーミングされたＣＳＩ−ＲＳに該当するＫ＝１  ＣＳＩ−ＲＳリソースを有する‘クラスＢ’報告；及び３）セル−特定ビームフォーミングされたＣＳＩ−ＲＳに該当するＫ＞１  ＣＳＩ−ＲＳリソースを有する‘クラスＢ’報告。非−プリコーディングされた（ＮＰ）ＣＳＩ−ＲＳの場合、ＣＳＩ−ＲＳポートとＴＸＲＵの間のセル−特定１対１マッピングが活用される。ここでは、異なったＣＳＩ−ＲＳポートが同じ広いビーム幅及び方向を有し、したがって、一般にセル広いカバレッジを有する。ビームフォーミングされたＣＳＩ−ＲＳの場合、セル−特定又はＵＥ−特定のビームフォーミング動作がＮＰＳ（ｎｏｎ−ｚｅｒｏ−ｐｏｗｅｒ）ＣＳＩ−ＲＳリソース（多重のポートを含む）に適用される。ここで、（少なくとも与えられた時間／周波数で）ＣＳＩ−ＲＳポートは狭いビーム幅（したがって、セルワイドカバレッジでない）を有し、（少なくともｇＮＢで）少なくとも一部のＣＳＩ−ＲＳポート−リソース組み合わせは異なったビーム方向を有する。
【００６８】
サービングｇＮＢでＵＬ信号を介してＤＬ長期チャネル統計が測定され得るシナリオでは、ＵＥ−特定ＢＦ  ＣＳＩ−ＲＳが容易に用いられ得る。これは一般にＵＬ−ＤＬデュプレックス距離が十分に小さい場合に実現可能である。しかし、この条件が維持されない場合には、ｇＮＢがＤＬ長期チャネル統計の推定値（又はその表現に対する任意のもの）を得るために一部のＵＥフィードバックが用いられる。このような手順を容易にするために、第１ＢＦ  ＣＳＩ−ＲＳが周期Ｔ１（ｍｓ）で送信され、第２ＮＰ  ＣＳＩ−ＲＳが周期Ｔ２（ｍｓ）で送信される（Ｔ１≦Ｔ２）。このようなアプローチをハイブリッドＣＳＩ−ＲＳという。ハイブリッドＣＳＩ−ＲＳの具現はＣＳＩプロセス及びＮＺＰ  ＣＳＩ−ＲＳリソースの定義に大きく依存する。
【００６９】
ＬＴＥで、周期的（ＰＵＣＣＨベース）及び非周期的（ＰＵＳＣＨベース）ＣＳＩ報告の両方に対する複数のＣＳＩ報告モードが存在する。各々のＣＳＩ報告モードは多くの他のパラメータ（例えば、コードブック選択、送信モード、ｅＭＩＭＯ−タイプ、ＲＳタイプ、ＣＲＳ又はＣＳＩ−ＲＳポートの数）に依存する。少なくとも２つの短所を認知できる。まず、複雑な“ネステッドループ（ｎｅｓｔｅｄ  ｌｏｏｐｓ）”（ＩＦ…ＥＬＳＥ…）及びカップリング／リンケージウェブが存在する。これはテスト努力を複雑にする。次に、特に新しい機能を導入する時にフォワード互換性（ｆｏｒｗａｒｄ  ｃｏｍｐａｔｉｂｉｌｉｔｙ）が制約的である。
【００７０】
上記の短所がＤＬ  ＣＳＩ測定に適用されるが、ＵＬ  ＣＳＩ測定に対しても同様に適用され得る。ＬＴＥでは、ＵＬ  ＣＳＩ測定フレームワークが原始の形式で存在しＤＬ  ＣＳＩ測定フレームワークほど進化していない。ＵＬに対するＯＦＤＭＡ又はＯＦＤＭＡに基づく多重アクセスの可能性と共に次世代システムのためのＴＤＤ又は相互性に基づくシステムの出現で、ＤＬ及びＵＬのすべてに適用可能な同じ（又は少なくとも類似の）ＣＳＩ測定及び報告フレームワークが有用である。
【００７１】
したがって、５Ｇ  ＮＲシステムに対する上記のような新しいチャレンジを考慮した場合、ＤＬ及びＵＬに適用できる柔軟なモジュール式ＣＳＩ測定及び報告フレームワークが必要である。
【００７２】
本開示は、ＤＬ及びＵＬの両方に対するＣＳＩ獲得を可能にするための次のコンポーネントを含む。第１コンポーネント（コンポーネント１）はＤＬ  ＣＳＩ獲得をサポートするためのフレームワーク及び関連実施形態を含む。第２コンポーネントはＵＬ  ＣＳＩ獲得をサポートするためのフレームワーク及び実施形態を含む。第３コンポーネントはＤＬ  ＣＳＩ獲得をサポートするための他のフレームワーク及び関連実施形態を含む。
【００７３】
コンポーネント１−ＤＬ  ＣＳＩフレームワーク
【００７４】
第１コンポーネント（すなわち、ＤＬ  ＣＳＩ獲得フレームワーク）の場合、ＤＬ  ＣＳＩフレームワークは部分的にｇＮＢ／ＴＲＰでのＤＬ  ＣＳＩ獲得を容易にするために設計された。これはＵＥからのＤＬ  ＣＳＩ報告、ｇＮＢ／ＴＲＰでのＵＬ信号（ら）のＤＬ  ＣＳＩ測定（ＤＬ−ＵＬ相互性に基づく動作の場合）、又は２つをいずれも含む。
【００７５】
一実施形態で、単一ＵＥの場合、ＤＬ  ＣＳＩフレームワークは少なくとも１つのＣＳＩ報告設定、少なくとも１つのＲＳ設定（ＣＳＩ測定に用いられる少なくとも１つのＲＳを含む）、及び１つのＣＳＩ測定設定を含む。ＣＳＩ報告設定は、計算及び報告される必要があるＣＳＩ報告パラメータでＵＥを構成する。ＲＳ設定は、ＣＳＩ測定及び計算の目的のために１つ以上のＲＳリソースでＵＥを構成する。例えば、構成されるＲＳの内の１つはＣＳＩ−ＲＳであることができ、これは、ＣＳＩ−ＩＭ（したがって、ゼロ電力ＣＳＩ−ＲＳ）の特殊なケースをも含む。ＣＳＩ測定設定はＣＳＩ報告とＲＳ設定の間のリンケージ／カップリングを提供する。
【００７６】
上記の名称（ＣＳＩ報告設定、ＲＳ設定及びＣＳＩ測定設定）は、単なる例示的なものであり、例示的な目的のためのものである。機能を示すために他の名称が用いられ得る。例えば、ＲＳ設定はリソース設定又はＣＳＩリソース設定ともいい、測定に用いられる信号（例えば、基準信号）のリソース構成を指す。すなわち、ＲＳ設定はリソース設定を指す場合もある。基準信号に用いられ得る信号の例としては、ＣＳＩ−ＲＳ、ＤＭＲＳ（ｄｅｍｏｄｕｌａｔｉｏｎ  ｒｅｆｅｒｅｎｃｅ  ｓｉｇｎａｌ）又はＳＲＳ（ｓｏｕｎｄｉｎｇ  ｒｅｆｅｒｅｎｃｅ  ｓｉｇｎａｌ）を含む。
【００７７】
例えば、ＵＥがＮ個のＣＳＩ報告設定及びＭ個のＲＳ設定で構成される場合、ＣＳＩ測定設定はＮ個のＣＳＩ報告設定の各々をＭ個のＲＳ設定の内の少なくとも１つとリンクさせる。これが図５Ａに示されており、ここでは、Ｎ＝４（それぞれ実施形態５１０、５１１、５１２及び５１３と関連付けられた０、１、２及び３でインデックスされたＣＳＩ報告設定）及びＭ＝４（それぞれ実施形態５１５、５１６、５１７及び５１８と関連付けられた０、１、２、及び３でインデックスされたＲＳ設定）である。
【００７８】
ＣＳＩ測定設定は次のように説明できる。４つのＣＳＩ報告設定及び４つのＲＳ設定がＣＳＩ測定設定５２０とリンクされる。この例では、ＣＳＩ報告設定０及び１はＲＳ設定０とリンクされる。ＣＳＩ報告設定２はＲＳ設定１とリンクされる。一方、ＣＳＩ報告設定３はＲＳ設定２及び３とリンクされる。１つのＣＳＩ報告設定が２つのＲＳ設定とリンクされる最後の例は、ハイブリッドＣＳＩ動作（一方井のＲＳ設定がセル−特定又はＴＲＰ−特定又はｇＮＢ−特定のもので、他方はＵＥ−特定のものであるとともに、ビームフォーミングされたものである場合）及びＣｏＭＰ（一方のＲＳ設定が１つの干渉仮説と関連付けられたものであって、他方は他の仮説と関連付けられたものである場合）に適用され得る。一般に、Ｎ個のＣＳＩ報告設定とＭ個のＲＳ設定をリンクさせるＣＳＩ測定設定に含まれるＬ≧１リンケージが存在し得る。
【００７９】
上記のリンケージに加えて、ＣＳＩ報告及びその対応ＲＳの間のタイミング関係がＣＳＩ測定設定に含まれ得る。例えば、ＣＳＩ報告設定０がＲＳ設定０と関連付けられた場合、ＵＥ動作は次のように定義される。ＵＥがサブフレーム又はスロットｎでＲＳ設定０と関連付けられたＲＳを受信する場合、ＵＥはパラメータＤ０−０が構成可能なサブフレーム又はスロットｎ＋Ｄ０−０でＣＳＩ報告設定０と関連付けられたＣＳＩを報告すべきである。図５Ａに示す例では、このようなパラメータの内の少なくとも５つが存在する（Ｄ０−０、Ｄ１−０、Ｄ２−１、Ｄ３−２及びＤ３−３）。選択的には、各リンクは可能な値のセットと関連付けられることができ、ここで、特定の測定及び報告インスタンスに適用される値は上記値のセットから動的に選択され得る。
【００８０】
また、各リンケージと関連付けられた測定制限（位置だけでなく、時間ドメイン、周波数ドメイン又はその両方でＣＳＩが測定される範囲）がＣＳＩ測定設定に含まれ得る。
また、ＣＳＩ測定設定に２つ以上のアンテナポートのＱＣＬ（ｑｕａｓｉ−ｃｏｌｏｃａｔｉｏｎ）が含まれ得る。
【００８１】
ＣＳＩ測定設定を形成するために、ＣＳＩ測定設定に対する上記の例示内容の内の少なくとも１つ（又は様々な組み合わせ）が選択され得る。
【００８２】
上記実施形態の変形例では、Ｎ個のＣＳＩ報告設定及びＭ個のＲＳ設定の間の全ての（Ｌ≧１）リンケージを含む１つのＣＳＩ測定設定を用いる代わりに、Ｌ≧１の個別的なＣＳＩ測定設定（１つのリンケージあたり１つのＣＳＩ測定設定）が用いられ得る。この場合、１つのＣＳＩ測定設定は、リンケージ、タイミング関係、測定制限及び／又はＱＣＬの内の少なくとも１つを含むことができる。Ｌ≧１のＣＳＩ測定設定使用に対する詳細な説明は１つのＣＳＩ測定設定に対する説明に従う。
【００８３】
上記設定は、上位層（ＲＲＣ）シグナリング又はＭＡＣ制御要素（ＭＡＣ  ＣＥ）又はＬ１制御シグナリング（ＤＬ制御チャネルによるＤＬ制御シグナリング）によってＵＥに対して構成され得る。いくつかの可能性が存在する。第一に、上記設定のすべて（ＣＳＩ報告設定、ＲＳ設定及びＣＳＩ測定設定）は上位層（ＲＲＣ）信号又はＭＡＣ制御要素（ＭＡＣ  ＣＥ）によって構成され得る。第二に、ＣＳＩ報告設定及びＲＳ設定は上位層（ＲＲＣ）シグナリングによって構成されることができ、ＣＳＩ測定設定はＭＡＣ制御要素（ＭＡＣ  ＣＥ）によって構成され得る。第三に、ＣＳＩ測定設定及びＲＳ設定は上位層（ＲＲＣ）シグナリングによって構成されることができ、ＣＳＩ測定設定はＬ１制御シグナリング（ＤＬ制御チャネルによるＤＬ制御シグナリング）を介して構成され得る。第四に、ＣＳＩ報告設定及びＣＳＩ測定設定は上位層（ＲＲＣ）シグナリングによって構成されることができ、ＲＳ設定はＬ１制御シグナリング（ＤＬ制御チャネルによるＤＬ制御シグナリング）によって構成され得る。
【００８４】
選択的には、上記３つの設定の内の少なくとも１つにおいて、設定パラメータの内の一部は上位層（ＲＲＣ）シグナリング又はＭＡＣ  ＣＥによって構成されることができ、一部の他の設定パラメータはＬ１  ＤＬ制御シグナリング（ＵＬ−関連又はＤＬ−関連ＤＣＩの使用）によって構成され得る。いくつかの例が、以下、提供される。
【００８５】
ＤＬ送信方式／方法は個別的に構成される。ＤＬ送信方式／方法がＣＳＩ−関連設定と共にどのように用いられるかはｇＮＢの具現による。選択的には、このＤＬ送信方式はＣＱＩ計算のための１つの条件として用いられ得る。
【００８６】
以下、説明されるように、ＣＳＩ報告、ＤＬ  ＣＳＩ−ＲＳ及びＵＬ  ＳＲＳ送信の時間ドメイン動作としては、周期的（Ｐ）、半永続的（ＳＰ）及び非周期的（ＡＰ）であることを含む。いくつかの可能な実施形態が次のように与えられる。
【００８７】
一実施形態で、ＣＳＩ報告設定は非周期的かつ半永続的なＣＳＩ報告のために動的に選択され得る。非周期的ＣＳＩ報告を含むｎ個のＣＳＩ報告設定の各々が構成されるｎ＞１個のＣＳＩ報告設定でＵＥが構成される場合、非周期的ＣＳＩ報告をトリガするために用いられるＤＣＩは別個のＤＣＩフィールド又はＣＳＩ要求フィールドの一部として、ＣＳＩ報告設定インデックス（これはｎ個のＣＳＩ報告設定の内の関連付けられたものを表示する）を含むことができる。同様に、半永続的ＣＳＩ報告を含むｎ′個のＣＳＩ報告設定の各々が構成されるｎ′＞１個のＣＳＩ報告設定でＵＥが構成される場合、半永続的ＣＳＩ報告を活性化するために用いられるＤＣＩ又はＭＡＣ  ＣＥは別個のフィールド又は活性化メッセージの一部として、ＣＳＩ報告設定インデックス（これはｎ′個のＣＳＩ報告設定の内の関連付けられたものを表示する）を含むことができる。本実施形態は、各ＣＳＩ報告設定と全てのＲＳ設定の間の全ての構成されたリンクが動的に選択されることができない場合にさらに適用される。すなわち、ＣＳＩ報告設定が動的に選択される場合、選択されたＣＳＩ報告設定にリンクされている全てのＲＳ設定がＣＳＩ測定に用いられる。
【００８８】
他の例示的な実施形態で、非周期的かつ半永続的なＣＳＩ報告のためにＲＳ又はリソース設定が動的に選択され得る。非周期的ＣＳＩ−ＲＳを含むｍ個のＲＳ設定の各々が構成されるｍ＞１  ＲＳ又はリソース設定でＵＥが構成される場合、非周期的ＣＳＩ報告をトリガするために用いられるＤＣＩは別個のＤＣＩフィールド又はＣＳＩ要求フィールドの一部として、ＲＳ設定インデックス（これはｍ個のＲＳ設定の内の関連付けられたものを表示する）を含むことができる。同様に、半永続的ＣＳＩ−ＲＳを含むｍ′個のＲＳ設定の各々が構成されるｍ′＞１個のＲＳ設定でＵＥが構成される場合、非周期的ＣＳＩ報告をトリガするために用いられるＤＣＩ、又は半永続的ＣＳＩを活性化するために用いられるＤＣＩ又はＭＡＣ  ＣＥは別個のフィールド又は活性化メッセージの一部又はＣＳＩ要求フィールドの一部（非周期的ＣＳＩ報告の場合）として、ＲＳ設定インデックス（これはｍ′個のＣＳＩ報告設定の内の関連付けられたものを表示する）を含むことができる。本実施形態は、各ＲＳ設定と全てのＣＳＩ報告設定の間の全ての構成されたリンクが動的に選択されることができない場合にさらに適用される。すなわち、ＲＳ設定が動的に選択される場合、選択されたＲＳ設定にリンクされている全てのＣＳＩ報告設定が活性化される。
【００８９】
上記実施形態は、ＳＲＳのような他のタイプのＲＳにも適用される。これはノン−ゼロ−電力（ＮＺＰ）又はゼロ−電力（ＺＰ）ＣＳＩ−ＲＳ又はＳＲＳにも適用される。
【００９０】
他の例示的な実施形態で、非周期的かつ半永続的なＣＳＩ報告のためにＣＳＩ報告設定及びＲＳ／リソース設定の両方が動的に選択され得る。この場合、動的シグナリングされ得るものはＣＳＩ測定設定（総Ｌ個のリンクが含まれる）内の選択されたリンクである。ＵＥが非周期的ＣＳＩ報告のために設定されたｌ＞１リンクで構成される場合、非周期的ＣＳＩ報告をトリガするために用いられるＤＣＩは別個のＤＣＩフィールド又はＣＳＩ要求フィールドの一部として、リンクインデックス（これはｌ個のリンクの内の関連付けられたものを表示する）を含むことができる。同様に、ＵＥが半永続的ＣＳＩ報告のために設定されたｌ′＞１個のリンクで構成される場合、半永続的ＣＳＩ報告を活性化するために用いられるＤＣＩ又はＭＡＣ  ＣＥは別個のＤＣＩフィールド又は活性化メッセージの一部として、リンクインデックス（これはｌ′リンクの内の関連付けられたものを表示する）を含むことができる。リンクに基づく動的シグナリングが用いられる場合、ＵＥは選択された／トリガされたリンクによって同じＣＳＩ報告設定に対して異なったＲＳ設定からリソース／ＲＳを測定できる。
【００９１】
第１コンポーネント（ＤＬ  ＣＳＩ）に対する上記実施形態で、干渉測定（ＩＭ又はＣＳＩ−ＩＭ）に用いられるＲＳはＲＳ設定（例えば、ＲＳ電力設定、ＲＳタイプ及び／又はＲＳ機能）に含まれる。選択的実施形態では、ＲＳ設定でＩＭのために用いられたＲＳを含む代わりに、別途のＩＭ（ｉｎｔｅｒｆｅｒｅｎｃｅ  ｍｅａｓｕｒｅｍｅｎｔ）設定が用いられ得る。この場合、ＵＥはＮ個のＣＳＩ報告設定、Ｍ個のＲＳ設定及びＰ個のＩＭ設定の間の全ての（Ｌ≧１）リンケージを含む１つのＣＳＩ測定設定で構成され得る。これが図５Ｂに示されており、ここでは、Ｌ＝５リンケージがＮ＝４  ＣＳＩ報告設定５４０、５４１、５４２及び５４３、Ｍ＝３  ＲＳ設定５４５、５４６及び５４７、及びＰ＝１  ＩＭ設定５４８と共にＣＳＩ測定設定５５０に含まれる。ＩＭ設定の内容は第１コンポーネントに関する上述の説明で開示されたＲＳ設定の内容の内の少なくとも１つを含むことができる。
【００９２】
上記の選択的実施形態の変形例では、Ｎ個のＣＳＩ報告設定、Ｍ個のＲＳ設定及びＰ個のＩＭ設定間の全ての（Ｌ≧１）リンケージを含む１つのＣＳＩ測定設定を使用する代わりに、Ｌ≧１別個のＣＳＩ測定設定１つのリンケージあたり１つのＣＳＩ測定設定）が用いられ得る。この場合、１つのＣＳＩ測定設定はリンケージ、タイミング関係、測定制限及び／又はＱＣＬの内の少なくとも１つを含むことができる。Ｌ≧１ＣＳＩ測定設定の使用に対する詳細な説明は１つのＣＳＩ測定設定に対する説明による。図５Ｂの例を用いると、Ｌ＝５個の別個のＣＳＩ測定設定が用いられる。
【００９３】
本変形例は、ＲＳ設定でＩＭのために用いられるＲＳを含む代わりに、別途のＩＭ設定が用いられ得る第２コンポーネント（後述）に適用することも可能である。例えば、ＵＥがＮ個のシグナリング設定、Ｍ個のＲＳ設定及びＰ個のＩＭ設定で構成される場合、ＣＳＩ測定設定はＮ個のシグナリング設定の各々をＭ個のＲＳ設定及びＰ個のＩＭ設定の内の少なくとも１つとリンクさせる。これが図５Ｃに示されており、ここでは、Ｎ＝２（それぞれ実施形態５７０及び５７１と関連付けられた０及び１でインデックスされたＤＬシグナリング設定）、Ｍ＝２（それぞれ実施形態５７５及び５７６と関連付けられた０及び１でインデックスされたＲＳ設定）、及びＰ＝１（実施形態５７７と関連付けられた０でインデックスされたＩＭ設定）である。
【００９４】
コンポーネント１．１−ＤＬ  ＣＳＩ報告設定
【００９５】
以下の実施形態は、ＤＬ  ＣＳＩ報告のための設定に対するサブコンポーネントに関する（本開示ではサブコンポーネント１．１として示される）。
【００９６】
ＤＬ  ＣＳＩ報告設定６００の例が図６に示されている。ここで、ＣＳＩ報告設定は、まず“モード”（ＣＳＩ報告が周期的であるか、非周期的／オンデマンドであるか、又は半永続的／マルチ−ショットであるか）、サブフレーム又はスロットオフセット及び周期を含むサブフレーム又はスロット構成（周期的及び／又は半永続的／マルチ−ショットにのみ適用可能）、及び報告帯域幅（ＤＬ  ＣＳＩと関連付けられたＤＬ周波数−ドメインリソースの量−なるべくは位置を含む）といった一般設定情報６０１を含む。“モード”構成はＤＬ  ＣＳＩ報告が時間ドメインで行われる方式を示す。“モード”は｛周期的、非周期的／オンデマンド、半永続的／マルチ−ショット｝の中から値を取る。“モード”は、例えば｛周期的、非周期的／オンデマンド｝又は｛周期的、半永続的／マルチ−ショット｝又は｛非周期的／オンデマンド、半永続的／マルチ−ショット｝の中からのみ値を取ることもできる。
例示的な実施形態で、ＢＩ（ビームインジケータ／インデックス）、ＲＩ（ランクインジケータ）、ＰＭＩ（プリコーディングマトリックスインジケータ）及びＣＱＩ（チャネル品質インジケータ）といった４つのＣＳＩパラメータに対する設定６００が含まれる。ＬＴＥでは、１つのＣＳＩ−ＲＳリソースによって１つのビームが形成されるので、ＢＩはＣＲＩ（ＣＳＩ−ＲＳリソースインジケータ）と同じである。以下、ＢＩはＣＲＩを指す場合もあるＬ-。このような４つのＣＳＩパラメータのすべてが１つのＣＳＩ報告設定内で報告される場合、ＢＩの値が選択され、同じ設定内から現在のＢＩを条件としてＲＩが計算され、現在のＢＩ及びＲＩを条件としてＰＭＩが計算され、現在のＢＩ、ＲＩ、及びＰＭＩを条件としてＣＱＩが計算される。これらの４つのＣＳＩパラメータの内のいずれも報告されないが、特定の値に固定されている場合（したがって、報告が不要である）、前述の条件指定規則が引き続き適用される。この４つのＣＳＩパラメータの内のいずれも報告されず特定の値に固定されてもいない場合、この報告されていないＣＳＩパラメータは後続のＣＳＩパラメータの計算に影響を及ぼさない。例えば、ＢＩが特定値で報告されず固定されてもいない場合には（設定６０２でＮＵＬＬに設定される）、ＲＩの値が選択され、ＰＭＩが現在のＲＩを条件として計算され、ＣＱＩが現在のＲＩ及びＰＭＩを条件として計算される。
【００９７】
本実施形態が４つのＣＳＩパラメータを含むが、他のＣＳＩパラメータも含まれ得る（又はこれらの４つのパラメータのサブセットのみが用いられるか、又はこれらの４つのパラメータのサブセットが異なったパラメータと共に用いられ得る）。前述した議論及び後述する議論における４つのＣＳＩパラメータ（したがって、４つのＣＳＩパラメータ設定）の使用は、例示的なものであり例示を目的としたものである。
【００９８】
一般設定情報６０１以外に、４つのＣＳＩパラメータの各々に対する下位設定が定義され得る。例えば、設定６０２で、ＢＩ設定は、可能な値のセット及び周波数グラニュラリティを含むことができる。例えば、値のセットが｛０，１，２，３｝の場合、２ビットＢＩが報告され得る。値のセットが｛２｝の場合、ＢＩ報告を行う必要がない。しかし、ＢＩの値は２に設定される（すなわち、ＵＥはビーム＃２で構成される）。値のセットがＮＵＬＬの場合には、ＢＩが報告されずこのＣＳＩ報告設定で用いられない。周波数グラニュラリティが例えば２０ＲＢに設定される場合、ＢＩは２０−ＲＢサブ帯域の各々に対して計算され報告される。６０３では、６０２と同様に、ＲＩ設定は、可能な値のセット及び周波数グラニュラリティを含むこともできる。例えば、値のセットが｛１，２｝の場合、１ビットＲＩが報告され得る。値のセットが｛２｝の場合には、ＲＩ報告を行う必要がない。しかし、ＲＩの値は２に設定される（すなわち、ＵＥはＣＳＩ計算のためにＲＩ＝２であると仮定すべきである）。値のセットがＮＵＬＬの場合には、ＲＩが報告されずこのＣＳＩ報告設定で用いられない。
【００９９】
設定６０４で、ＰＭＩ設定は可能な値のセット、“タイプ”、コードブック選択／構成及び周波数グラニュラリティを含むことができる。値のセット及び周波数グラニュラリティはＢＩ又はＲＩのものと同様に定義される。ＰＭＩ“タイプ”は‘プリコーダ（ｐｒｅｃｏｄｅｒ）’（コードブックから取ったプリコーディングベクタ又はマトリックスの選択を指す）、‘プリコーダグループ（ｐｒｅｃｏｄｅｒ  ｇｒｏｕｐ）’（コードブックから取ったプリコーディングベクタ又はマトリックスのグループ／サブセットを指す）、又は‘エクスプリシット（ｅｘｐｌｉｃｉｔ）’（明示的なフィードバック、例えば、チャネル量子化器やコードブックに基づくチャネル量子化、固有ベクタ量子化を示す）のような可能なタイプのセットを含むことができる。コードブック選択／構成はＰＭＩ報告のためのコードブック選択と関連付けられた情報を含むことができる。
【０１００】
設定６０５で、ＣＱＩ設定はＣＱＩ計算設定及び周波数グラニュラリティを含むことができる。周波数グラニュラリティは、ＢＩ、ＲＩ又はＰＭＩのものと同様に定義でされ得る。可能な値のセットがＮＵＬＬ（ＣＱＩが報告されず、このＣＳＩ報告設定で用いられない）を含むＣＱＩ計算設定はＣＱＩ計算手順を示すことができる。ＣＱＩ計算手順オプションの一例において、ＣＱＩはＰＭＩの値によって指示された／勧められた１つのプリコーダによるデータ送信を仮定することによって計算され得る。ＣＱＩ計算手順オプションの他の例において、ＣＱＩはプリコーダサイクリングが行われるＰＭＩの値によって指示された／勧められた複数のプリコーダによるデータ送信を仮定することによって計算され得る。すなわち、プリコーダは周波数ドメイン、時間ドメイン又はその両方にわたって変更される。ＣＱＩ計算手順オプションのさらに他の例において、ＣＱＩは（ＤＬ  ＣＳＩ測定設定によってＤＬ  ＣＳＩ報告設定にリンクされたＲＳ設定に基づいて）関連付けられたＲＳの電力を示すために計算され得る。この場合、ＣＱＩはＲＳＲＰと同様に機能できる。また、ＣＱＩのビット数（ペイロードサイズ）はＣＱＩ設定の一部として構成可能であるか、又はＣＱＩ計算設定と関連付けられることができる。
【０１０１】
上記選択された名称は例示的なものであって、例示を目的としたものである。
【０１０２】
上記の例の内のいずれかで、存在しないことを示すＮＵＬＬ値は同じ機能を提供する他の値の名称で代替され得る。
【０１０３】
コンポーネント１．２−ＤＬ  ＣＳＩ測定設定
【０１０４】
以下の実施形態は、ＤＬ  ＣＳＩ測定のための設定に対するサブコンポーネントに関する（本開示ではサブコンポーネント１．２として示される）。
【０１０５】
ＤＬ  ＣＳＩ測定のために用いられるＲＳ設定の例が次の実施形態で与えられる。
【０１０６】
ＲＳ設定はＤＬ  ＣＳＩ測定に用いられるＲＳのタイプである“ＲＳタイプ”を含むことができる。“ＲＳタイプ”の一部例としては、ＤＬ  ＣＳＩ−ＲＳ、ＵＬ  ＣＳＩ−ＲＳ（又は相互性に基づく動作のためのＤＬ  ＣＳＩ測定に用いられるＳＲＳ）、ＤＬ  ＤＭＲＳ、ＵＬ  ＤＭＲＳ及びビームＲＳ（ＢＲＳ）と機能的に同じＲＳを含む。下位実施形態で、サポートされた“ＲＳタイプ”は前述したタイプの内の少なくとも１つを含むことができる。他の下位実施形態で、サポートされる“ＲＳタイプ”はＤＬ  ＣＳＩ−ＲＳ及びＵＬ−ＣＳＩ−ＲＳ（又はＳＲＳ）を含む。本下位実施形態では、２つのＲＳ設定が１つ又は２つのＣＳＩ報告設定と関連付けられることができ、これによってＤＬ  ＣＳＩ−ＲＳ及びＵＬ  ＣＳＩ−ＲＳ（又はＳＲＳ）のすべてがＣＳＩ計算のために用いられ得る。
ＲＳ設定は、ＲＳ送信によって占有されるＤＬ（ＣＳＩ−ＲＳの場合）又はＵＬ（ＵＬ  ＣＳＩ−ＲＳ又はＳＲＳの場合）周波数ドメインリソース（なるべくは位置を含む）の量を示す“ＲＳ帯域幅”を含むこともできる。これはＤＬ  ＣＳＩ報告設定の“報告帯域幅”設定に対応できる。
【０１０７】
ＲＳ設定は、また、ＲＳビーム／リソースの数Ｋ（すなわち、１つのＲＳリソース構成／設定内で、１つ又は複数のＲＳビーム／リソースがクラスＢｅＭＩＭＯ−タイプ及びＫ≧１  ＮＺＰ  ＣＳＩ−ＲＳリソースを有するＬＴＥと機能的に同様に構成され得る）、Ｋ個の関連ＲＳリソースアイデンティティ又はインデックス、各ＲＳビーム／リソースに対するＲＳポート数｛Ｎ１，Ｎ２，…，ＮＫ｝、“ＲＳパターン”、“ＲＳ電力”及び“ＲＳ機能”といった数個のパラメータを含むことができる“ＲＳリソースパラメータ”を含むように構成される。
【０１０８】
“ＲＳリソースパラメータ”の使用と関連して、ＵＥは上位層（ＲＲＣ）シグナリングによってＫ個のＮＺＰ  ＣＳＩ−ＲＳリソースで構成されることができ、Ｋ個のＣＳＩ−ＲＳリソース（Ｋ≧Ｎ）のサイズ−Ｎサブセットが（ＵＥ側で測定又はモニタリングするために）選択されるか又は活性化され得る。サイズ−Ｎサブセットの選択はＭＡＣ制御要素（ＭＡＣ  ＣＥ）シグナリング又はＬ１  ＤＬ制御シグナリング（ＵＬ−関連又はＤＬ−関連ＤＣＩ）を介して行われ得る。この場合、“ＲＳリソースパラメータ”が上位層（ＲＲＣ）シグナリングによって構成されたＲＳ設定に含まれると、ＲＳリソースの数Ｋ及び関連リソースインデックス／アイデンティティが“ＲＳリソースパラメータ”に含まれるが、サイズ−Ｎサブセットの選択が行われない。一方、Ｎの値は上位層（ＲＲＣ）シグナリングによって又はＭＡＣ  ＣＥシグナリングによって（サイズ−Ｎサブセットの選択と共に）構成され得る。
【０１０９】
以前の段落で説明された“ＲＳリソースパラメータ”及びＲＳリソースのサブセット選択の使用はＤＬ  ＣＳＩ−ＲＳ、ＵＬ  ＣＳＩ−ＲＳ（ＳＲＳ）及び／又は他のタイプのＲＳに用いられ得る。また、ＤＬ  ＣＳＩ−ＲＳ及びＵＬ  ＣＳＩ−ＲＳ（ＳＲＳ）に対する共通リソースプール／セットが用いられ得る。
【０１１０】
“ＲＳパターン”は、時間（１つのＯＦＤＭシンボル内）及び周波数ドメイン（ＲＥにわたって、すなわち複数のＲＥパターンの内の１つを選択）でのＲＳパターン構成を示す。このような複数の可能なパターンは、異なったＲＥ密度を有するパターンを含むこともできる。このパターンは与えられたＲＳビーム／リソースの数Ｋに対してＫ≧１個のＲＳビーム／リソースの各々に対して個別的に又はすべてに対して共同で定義され得る。
【０１１１】
Ｎ−ポートＲＳのＲＳパターン（例えば、ＤＬ  ＣＳＩ−ＲＳ又はＳＲＳ）は、複数のＲＳリソースの集合に対応することもでき、ここで、各々のリソースはより少ない数のポートに対応する。例えば、Ｎ−ポートＣＳＩ−ＲＳはＫ個のＣＳＩ−ＲＳリソースで構成されることができ、ここで、Ｋ個のＣＳＩ−ＲＳリソースに対するポートの個数はそれぞれ｛Ｎ１，Ｎ２，…，ＮＫ｝で、Ｎ１＋Ｎ２＋…＋ＮＫ＝Ｎである。この集合は上位層（ＲＲＣ）構成の一部、ＭＡＣ  ＣＥ、Ｌ１  ＤＬ制御シグナリング、又はこの３つの組み合わせとして含まれるか、又はシグナリングされ得る。例えば、ＵＥは複数の可能なＲＳ集合パターンで構成されることができ、これらの集合パターンの内の１つはＭＡＣ  ＣＥ又はＬ１  ＤＬ制御シグナリングによって動的に選択されるか、又は活性化される。選択的には、ＵＥは複数の可能なＲＳ集合パターンで構成されることができ、この集合パターンのより小さなサブセットはＭＡＣ  ＣＥによって動的に選択されるか、又は活性化され、活性化されたサブセット内のこの集合パターンの内の１つはＬ１  ＤＬ制御シグナリングによって選択される。
【０１１２】
“ＲＳ電力”は、データ送信と関連付けられた電力設定に対するＲＳの電力レベルを示す。例えば、これはＲＥあたりエネルギー又はＥＰＲＥ（例えば、ＬＴＥと類似したＰＡ、ＰＢ及びＰＣ）で示すことができる。また、このＲＳ電力設定はゼロ−電力ＲＳ（ＬＴＥでＣＳＩ−ＩＭに用いられるＺＰ  ＣＳＩ−ＲＳと類似）を示すＺＥＲＯを含むことができる。“ＲＳパターン”のように、“ＲＳ電力”は与えられたＲＳビーム／リソースの数Ｋに対してＫ≧１であるＲＳビーム／リソースの各々に対して個別的に又はすべてに対して共同で定義され得る。
【０１１３】
ＺＰ  ＣＳＩ−ＲＳのみＣＳＩ−ＩＭに用いられ得る場合、ＣＳＩ−ＩＭ（干渉測定）に用いられるＲＳは電力設定で単純チャネル測定に用いられるＲＳと差別化できる。したがって、この両者には追加的な差別化が不要である。しかし、ＮＺＰ  ＣＳＩ−ＲＳ又はＤＬ  ＤＭＲＳを用いるＣＳＩ−ＩＭのような他の干渉測定メカニズムが可能な場合、ＲＳ電力だけではチャネル測定に用いられるＲＳと干渉測定に用いられるＲＳを区別するに十分でない場合がある。この場合、ＩＭ又はＣＳＩ−ＩＭに対する追加表示を使用できる。この表示は、例えば、ＲＳタイプ（上）又はＲＳ機能（下）に含まれ得る。
【０１１４】
“ＲＳ機能”はＲＳが‘ＵＥ−特定ＲＳ'として機能するか又は‘カバレッジＲＳ'として機能するか（非−ＵＥ−特定又はｇＮＢ−特定又はビーム−特定ＲＳ）を示す。一般に、ＵＥ−特定ＲＳは、ＵＥに対して特定的に動的プリコーディング／ビームフォーミングされ得るが、一方で、非−ＵＥ−特定ＲＳは、セル−特定又はｇＮＢ−特定又はビーム−特定であり得る（Ｋ≧１ＲＳビーム／リソースを含むことができるカバレッジのために意図される）。また、ＲＳビーム／リソースの数Ｋ＞１の場合、“ＲＳ機能”は、時間ドメインでＫ個のＲＳビームにわたってビームスウィーピングが行われるか否かを示すこともできる（例えば、Ｋ個の互いに異なりかつ連続的なＯＦＤＭシンボルにわたって、１つのサブフレーム／スロット／ＴＴＩ内又は複数のサブフレーム／スロット／ＴＴＩにわたって）。このビームスウィーピングはＤＬ  ＣＳＩ−ＲＳ又はＵＬ  ＣＳＩ−ＲＳ（ＳＲＳ）に対して行われ得る。
【０１１５】
このような異なったＲＳ機能が列挙されることができ、例えば、“ＲＳ機能”＝１はＵＥ−特定ＲＳ機能を示し、“ＲＳ機能”＝２は非−ＵＥ−特定又はＴＲＰ／ｇＮＢ−特定ＲＳ機能（Ｋ≧１個のＲＳビーム／リソースを持つ）を示すが、一方で、“ＲＳ機能”＝３はＫ＞１個のＲＳビーム／リソースを送信するためのＫ＞１個の連続的なＯＦＤＭシンボルの使用を示す。このような最後の機能のために、（１つのＯＦＤＭシンボルで）ＲＳ送信の各々のインスタンスは１つのＲＳビーム／リソースと関連付けられることができる。ＤＬ  ＣＳＩ−ＲＳの場合、ＵＥはＤＬを介してＫ＞１個の連続的なＯＦＤＭシンボルにわたって受信されるＲＳがＫ＞１個のＤＬ  ＲＳビーム／リソースに対応すると仮定すべきである。ＵＬ  ＣＳＩ−ＲＳの場合、ＵＥはＵＬを介してＫ＞１個の連続的なＯＦＤＭシンボルにわたって送信されるＲＳがＫ＞１個のＵＬ  ＲＳビーム／リソースに対応するものと仮定すべきである。したがって、ビームスウィーピングがＤＬ及びＵＬ  ＣＳＩ−ＲＳの両方に適用され得る。
一部のシナリオの場合はさらに単純化が可能である。例えば、“ＲＳタイプ”がＵＬ  ＣＳＩ−ＲＳに設定される場合、ＵＬ  ＣＳＩ測定のための“ＲＳ機能”に対する設定は“ＵＥ−特定”及び“非−ＵＥ−特定”を１つの値（例えば、非−スウィーピング動作に適用可能な“デフォルト”）に併合することによって単純化できる。これはＵＬ  ＣＳＩ−ＲＳ（ＳＲＳ）がＵＥ−特定のものであるからである。また、“ＲＳタイプ”がＤＬ又はＵＬ  ＤＭＲＳ（適用可能な場合）に設定される場合、ＵＥに対するデータ送信が存在しないサブフレーム／スロット／ＴＴＩにはＤＭＲＳが存在しないので“ＲＳ機能”は不要である。
【０１１６】
ＤＬ  ＣＳＩ報告設定と同様に、ＲＳ設定は、“ＲＳモード”（ＣＳＩ報告が周期的であるか、非周期的／オンデマンドであるか、又は半永続的／マルチ−ショットであるか）を含むこともできる。“モード”構成は関連ＲＳが時間ドメインで送信される方式を示す。“モード”は｛周期的、非周期的／オンデマンド、半永続的／マルチ−ショット｝の内から値を取る。“モード”は、例えば｛周期的、非周期的／オンデマンド｝又は｛周期的、半永続的／マルチ−ショット｝又は｛非周期的／オンデマンド、半永続的／マルチ−ショット｝の内からのみ値を取ることもできる。
【０１１７】
“ＲＳモード”が周期的又は半永続的（“マルチ−ショット”）である場合、ＲＳ設定は、ＲＳ送信と関連付けられた周期及びサブフレーム／スロットオフセットを示す“ＲＳサブフレーム又はスロット構成”を含むこともできる。このような“ＲＳサブフレーム又はスロット構成”はＫ個のＲＳビーム／リソースの各々に対して個別的に又はすべてに対して共同で構成され得る。
【０１１８】
上記選択された名称は、例示的なものであって例示的な目的のためのものである。本開示において、ＲＳ設定は上記設定又は下位設定の内の少なくとも１つを含む。
【０１１９】
“ＲＳ機能”の使用と関連して、ＲＳリソース又はビームの数Ｋが１より大きい場合、一部の下位実施形態は次のように説明され得る。
【０１２０】
１つの下位実施形態で、ＲＳ設定の一部として含まれる又は含まれない“ＲＳ機能”は上位層（ＲＲＣ）シグナリングによって構成される。“ＲＳ機能”はＲＳが非−ＵＥ−特定ＲＳ（カバレッジＲＳ）であるか又はＵＥ−特定ＲＳであるかを示す。この第１シグナリングに加え、１つのＲＳリソース／ビームアイデンティティ／インジケータ又は複数のＲＳリソースアイデンティティ／インジケータと関連付けられたＲＳリソース（アップリンクによるＳＲＳ又はダウンリンクによるＤＬ  ＣＳＩ−ＲＳ）の送信を示す第２シグナリングが行われる。該第２シグナリングは、ＭＡＣ  ＣＥ又はＬ１  ＤＬ制御シグナリング（ＵＬ−関連又はＤＬ−関連ＤＣＩ）によって行われる。例えば、該第２シグナリングが１つのみのＲＳリソース／ビームの送信を示す場合、リソース／ビームインデックスはＬ１  ＤＬ制御シグナリング（例えば、ＤＣＩフィールドで搬送される）によってシグナリングされ得る。選択的には、コードブックに基づいて定義されるプリコーディングマトリックスインジケータ（ＰＭＩ）はＬ１  ＤＬ制御シグナリング（例えば、ＤＣＩフィールドで搬送される）を介してシグナリングされ得る。この最終オプションは、ＵＬ  ＣＳＩ−ＲＳ（ＳＲＳ）に関連付けられることができ、このＰＭＩはＵＥがＳＲＳ送信に適用するプリコーダを示す。一方で、この第２シグナリングが複数のＲＳリソース／ビームの送信を示す場合、複数のリソース／ビームと関連付けられたＲＳが時間及び／又は周波数単位で送信されるビームスウィーピング動作、例えば、Ｎ個のビームにわたるスウィーピングはＮ個の連続ＳＲＳ送信時間を示すことができる。予め決定されたスウィーピング／サイクリングパターンが定義されるか、又は選択されたスウィーピング／サイクリングパターン（複数のオプションの内の１つ）がＬ１  ＤＬ制御シグナリング（例えば、ＤＣＩフィールドで搬送される）によってシグナリングされる。
【０１２１】
他の下位実施形態で、ＲＳ設定の一部として含まれる又は含まれない“ＲＳ機能”はＭＡＣ  ＣＥによって構成される。“ＲＳ機能”はＲＳが非−ＵＥ−特定ＲＳ（カバレッジＲＳ）であるか又はＵＥ−特定ＲＳであるかを示す。この第１シグナリングに加えて、１つのＲＳリソース／ビームアイデンティティ／インジケータ又は複数のＲＳリソースアイデンティティ／インジケータと関連付けられたＲＳリソース（アップリンクによるＳＲＳ又はダウンリンクによるＤＬ  ＣＳＩ−ＲＳ）の送信を示す第２シグナリングが行われる。この第２シグナリングはＬ１  ＤＬ制御シグナリング（ＵＬ−関連又はＤＬ−関連ＤＣＩ）を介して行われる。例えば、この第２シグナリングがたった１つのみのＲＳリソース／ビームの送信を示す場合、リソース／ビームインデックスはＬ１  ＤＬ制御シグナリング（例えば、ＤＣＩフィールドで搬送される）によってシグナリングされ得る。選択的には、コードブックに基づいて定義されるプリコーディングマトリックスインジケータ（ＰＭＩ）はＬ１  ＤＬ制御シグナリング（例えば、ＤＣＩフィールドで搬送される）によってシグナリングされ得る。この最終オプションはＵＬ  ＣＳＩ−ＲＳ（ＳＲＳ）に関連付けられることができ、このＰＭＩはＵＥがＳＲＳ送信に適用するプリコーダを示す。一方で、この第２シグナリングが複数のＲＳリソース／ビームの送信を示す場合、複数のリソース／ビームと関連付けられたＲＳが時間及び／又は周波数単位で送信されるビームスウィーピング動作、例えば、Ｎ個のビームにわたるスウィーピングはＮ個の連続ＳＲＳ送信時間を示すことができる。例えば、予め決定されたスウィーピング／サイクリングパターンが定義されるか、又は選択されたスウィーピング／サイクリングパターン（複数のオプションの内の１つ）がＬ１  ＤＬ制御シグナリング（例えば、ＤＣＩフィールドで搬送される）によってシグナリングされる。
【０１２２】
上記２つの下位実施形態の各々はＤＬ  ＣＳＩ−ＲＳ及びＵＬ  ＣＳＩ−ＲＳ（ＳＲＳ）に用いられ得る。
【０１２３】
上記下位実施形態の内の任意のものがＳＲＳに用いられ第２シグナリングが（ＵＬ−関連又はＤＬ−関連ＤＣＩによって）Ｌ１  ＤＬ制御シグナリングを用いる場合、次の例示的な方式が上記選択的方式に基づいて用いられ得る。
【０１２４】
１つの例（例１）で、ＤＣＩ（ＵＬ−関連又はＤＬ−関連）がＳＲＳリソースインデックスの表示を含む場合（ＳＲＳ送信要求ＤＣＩフィールドとは別途で又はこれの一部として）、関連ＤＣＩフィールドはＫ個のＳＲＳリソースの内の１つ（又はＮ個の内の１つ）の選択を示す仮説に加えて、Ｎ≦Ｋ  ＳＲＳリソース全般にわたるビームスウィーピング（時間及び／又は周波数単位にわたって数個のＳＲＳリソースと関連付けられたＳＲＳの連続送信）を行わせる少なくとも１つの仮説を含む。上述のように、Ｋ個のＳＲＳリソースは上位層（ＲＲＣ）シグナリング又はＭＡＣ  ＣＥによって構成され得る。同様に、Ｎの値は上位層（ＲＲＣ）シグナリング又はＭＡＣ  ＣＥによって構成されるか、又はＳＲＳリソースインデックス表示の一部としてシグナリングされ得る。ＳＲＳリソースの数はＫ（上位層シグナリングによって構成される）と同じ又はＫ未満であるＮで表示される。Ｎ＜Ｋの場合、Ｋ個のリソースのサブセットがＳＲＳトリガのために選択されるか（周期的ＳＲＳの場合）又はＳＲＳ活性化（半永続的又はマルチ−ショットＳＲＳ）のために選択され得る。このような非周期的ＳＲＳに対するＳＲＳ送信要求（ＳＲＳトリガ）ＤＣＩフィールド定義の例が表１に与えられている。
【０１２５】
【表１】
2019532564.tif 000005
【０１２６】
他の例（例２で、ＵＬ−関連又はＤＬ−関連ＤＣＩはＵＥがＳＲＳをプリコーディングするために用いるプリコーダを指すＰＭＩを含む。この場合、ＰＭＩ（本開示ではＰＭＩＳＲＳと称される）はコードブックから選択されたプリコーダを指すために用いられる。ＵＬ−関連ＤＣＩの場合、ＰＭＩＳＲＳはＰＵＳＣＨでグラントされたＵＬ送信に用いられるＰＭＩと異なる第２番目の（追加）ＰＭＩであるかＰＵＳＣＨでグラントされたＵＬデータ／ＵＣＩ送信に用いられたものと同じＰＭＩ（コンポーネント２ではＴＰＭＩと称される）であり得る。後者の場合、ＰＭＩフィールド（ＳＲＳ用又はＰＵＳＣＨデータ／ＵＣＩ送信用）の機能は上位層（ＲＲＣ）シグナリング（例えば、ＰＭＩ機能を示すＲＲＣパラメータで又は‘非−プリコーディング（Ｎｏｎ−ｐｒｅｃｏｄｅｄ）'又は‘プリコーディング（Ｐｒｅｃｏｄｅｄ）’のようなＳＲＳタイプの上位層表示で）、ＭＡＣ  ＣＥによって構成されるか、又は同じＤＣＩに表示され得る。同じＤＣＩに表示される場合、このインジケータは別途の１ビットフィールド（例えば、‘ＰＭＩ機能'フィールドと呼ばれる）であるか、又はＰＭＩフィールドに共同でエンコーディングされ得る。選択的には、単一ＰＭＩがＳＲＳ用に及びＰＵＳＣＨでグラントされたＵＬデータ／ＵＣＩ送信用に用いられる場合、ＰＭＩによって表示された同じプリコーダがＳＲＳ及びＰＵＳＣＨでグラントされたＵＬデータ／ＵＣＩ送信のすべてに使用（適用）され得る。
【０１２７】
ＵＬ周波数選択的プリコーディングがＵＥに対して構成されると（したがって、複数のＰＭＩがＤＣＩに含まれ得る）、たった１つのＰＭＩのみがＳＲＳのために用いられる。ＳＲＳのためのこの単一のＰＭＩは複数のＰＭＩ又は別途の（追加）ＰＭＩの内の１つであり得る。
【０１２８】
他の例（例３）で、非周期的ＳＲＳ送信を要求するために、ＳＲＳリソース表示及びＰＭＩＳＲＳの両方のすべてがＤＣＩ（ＤＬ−関連又はＵＬ−関連）で用いられ得る。ＳＲＳリソース表示はＮ個のリソースの内の１つを選択することであり、ＰＭＩＳＲＳは選択されたＳＲＳリソースに用いられるプリコーダを指す。また、ＳＲＳリソース表示が、ＵＥがＮ個のＳＲＳリソースを介してスウィーピング方式でＳＲＳを送信することを命じる要求を示す場合、ＰＭＩはＮ個のＳＲＳリソースのために用いられるＮ個のプリコーダを指すことができる。Ｎ個のプリコーダはＮ個のＰＭＩの集合又はプリコーダグループのインジケータとして表示され得る。デュアルステージコードブック（Ｗ＝Ｗ１＊Ｗ２、ここでｉ１及びｉ２はデュアルステージプリコーダを指すために用いられる）が用いられる場合、第１ＰＭＩｉ１は、プリコーダのグルーピングが予め定義され得るプリコーダグループをシグナリングすることによって解釈され得る。したがって、ＰＭＩＳＲＳフィールドの解釈はＳＲＳリソース表示フィールドの値に依存し得る。すなわち、ＳＲＳリソース表示がＮ個のＳＲＳリソースの内の１つの選択をシグナリングする場合、ＰＭＩＳＲＳは非周期的なＳＲＳ送信のために選択されたプリコーダにシグナリングする。ＳＲＳリソース表示が（Ｎ個のリソースにわたって）ＳＲＳ送信をスウィーピングする要求をシグナリングする場合、ＰＭＩＳＲＳは非周期的ＳＲＳ送信のために選択されたＮ−プリコーダグループにシグナリングする。
【０１２９】
前述の例（例２）のように、ＰＭＩＳＲＳはＰＵＳＣＨでグラントされたＵＬ送信に用いられたＰＭＩと異なる第２番目の（追加）ＰＭＩであるか、又はＰＵＳＣＨでグラントされたＵＬデータ／ＵＣＩ送信に用いられたものと同じＰＭＩ（コンポーネント２ではＴＰＭＩと称される）であり得る。後者の場合、ＰＭＩフィールド（ＳＲＳ用又はＰＵＳＣＨデータ／ＵＣＩ送信用）の機能は上位層（ＲＲＣ）シグナリング（例えば、ＰＭＩ機能を示すＲＲＣパラメータで又は‘非−プリコーディング（Ｎｏｎ−ｐｒｅｃｏｄｅｄ）'又は‘プリコーディング（Ｐｒｅｃｏｄｅｄ）’のようなＳＲＳタイプの上位層表示で）、ＭＡＣ  ＣＥによって構成されるか、又は同じＤＣＩに表示され得る。同じＤＣＩに表示される場合、このインジケータは別途の１ビットフィールド（例えば、‘ＰＭＩ機能'フィールドと呼ばれる）であるか、又はＰＭＩフィールドに共同でエンコーディングされ得る。選択的には、単一ＰＭＩがＳＲＳ用に及びＰＵＳＣＨでグラントされたＵＬデータ／ＵＣＩ送信用に用いられる場合、ＰＭＩによって表示された同じプリコーダがＳＲＳ及びＰＵＳＣＨでグラントされたＵＬデータ／ＵＣＩ送信のすべてに使用（適用）され得る。
【０１３０】
ＵＬ周波数選択的プリコーディングがＵＥに対して構成されると（したがって、複数のＰＭＩがＤＣＩに含まれ得る）、たった１つのＰＭＩのみがＳＲＳのために用いられる。ＳＲＳのための該単一のＰＭＩは複数のＰＭＩ又は別途の（追加）ＰＭＩの内の１つであり得る。
【０１３１】
次の例示的な実施形態は、第１コンポーネント（ＤＬ  ＣＳＩフレームワーク）の使用ケースと関連付けられたものである。
【０１３２】
ＤＭＲＳに基づくＤＬ動的又は適応的ビームフォーミング／プリコーディング（暗示的ＰＭＩフィードバック含む）のための１つの例示的な使用ケース（使用ケース１．Ａとして示す）で、Ｎ＝１  ＤＬ  ＣＳＩ報告設定及びＭ＝１  ＲＳ設定が用いられ得る。ＤＬ  ＣＳＩ報告設定の場合、ＢＩ設定値がＮＵＬＬ（ＢＩ報告なし）に設定され、ＰＭＩ設定値が‘プリコーダ'（ＰＭＩはコードブックから取られたおススメプリコーダを示す）に設定され、ＣＱＩ計算設定は報告されたＲＩ及びＰＭＩによって調節されるＣＱＩを計算するように構成される。
【０１３３】
ＲＳ設定の場合、“ＲＳタイプ”を“ＤＬ  ＣＳＩ−ＲＳ”に設定しＲＳビーム／リソース数Ｋを１に設定できる。“ＲＳ機能”は‘ＵＥ−特定ＲＳ'又は‘非ＵＥ−特定ＲＳ'（セル−特定又はｇＮＢ−特定）であり得る。ＤＬ  ＣＳＩ測定設定はＣＳＩ報告設定をＲＳ設定とリンクさせる。他の設定のための構成はｇＮＢの具現によって柔軟に選択され得る。
【０１３４】
ＤＭＲＳに基づくＤＬビームサイクリング（暗示的ＰＭＩフィードバック含む）に対する１つの例示的な使用ケース（使用ケース１．Ｂとして示される）で、Ｎ＝１  ＤＬ  ＣＳＩ報告設定及びＭ＝１  ＲＳ設定を使用できる。
【０１３５】
ＤＬ  ＣＳＩ報告設定の場合、ＢＩ設定値がＮＵＬＬ（ＢＩ報告なし）に設定され、ＰＭＩ設定値が‘プリコーダグループ'（そして、ＰＭＩはコードブックから取られたプリコーダのおススメグループを示す）に設定され、ＣＱＩ計算設定はＵＥが時間及び／又は周波数ドメインでサイクリングされたプリコーダのグループによってＤＬデータ送信を受信すると仮定して報告されたＲＩ及びＰＭＩによって調節されたＣＱＩを計算するように構成される。
【０１３６】
ＲＳ設定の場合、“ＲＳタイプ”を“ＤＬ  ＣＳＩ−ＲＳ”に設定し、ＲＳビーム／リソース数Ｋを１に設定できる。“ＲＳ機能”は‘ＵＥ−特定ＲＳ'又は‘非ＵＥ−特定ＲＳ'（セル−特定又はｇＮＢ−特定）であり得る。
【０１３７】
ＤＬ  ＣＳＩ測定設定はＣＳＩ報告設定をＲＳ設定とリンクさせる。他の設定のための構成はｇＮＢの具現によって柔軟に選択され得る。
【０１３８】
Ｋ＞１  ＲＳビームを有するＤＬビーム測定に対する１つの例示的な使用ケース（使用ケース１．Ｃとして示される）で、Ｎ＝１  ＤＬ  ＣＳＩ報告設定及びＭ＝Ｋ  ＲＳ設定が用いられ得る。
【０１３９】
ＤＬ  ＣＳＩ報告設定の場合、ＢＩ設定値がＮＵＬＬ（ＢＩ報告なし）に設定され、ＲＩ設定値がＮＵＬＬ（ＲＩ報告なし）に設定され、ＰＭＩ設定値がＮＵＬＬ（ＰＭＩ報告なし）に設定され、ＣＱＩ計算設定はＬＴＥ  ＲＳＲＰと類似したＲＳ信号電力に構成される。
【０１４０】
ＲＳ設定の場合、“ＲＳタイプ”を“ＤＬ  ＣＳＩ−ＲＳ”に設定し、ＲＳビーム／リソースの数をＫに設定できる。“ＲＳ機能”は‘非ＵＥ−特定ＲＳ'（セル−特定又はｇＮＢ−特定）であるか又は選択的には、'ビームスウィーピング'（Ｋ個の連続的なＯＦＤＭシンボルがＫ個のＤＬ  ＲＳビーム／リソースを送信するために用いられる）であり得る。
【０１４１】
ＤＬ  ＣＳＩ測定設定はＮ＝１  ＣＳＩ報告設定をＭ＝Ｋ＞１  ＲＳ設定とリンクさせる。他の設定のための構成はｇＮＢの具現によって柔軟に選択され得る。
【０１４２】
Ｋ＞１  ＲＳビームを有する仮想セクタ化に対する１つの例示的な使用ケース（使用ケース１．Ｄとして表示する）で、Ｋ＞１を有するＬＴＥクラスＢと同様に、Ｎ＝１  ＤＬ  ＣＳＩ報告設定及びＭ＝Ｋ  ＲＳ設定が用いられ得る。
【０１４３】
ＤＬ  ＣＳＩ報告設定の場合、ＢＩ設定値が｛０，１，…，Ｋ−１｝に設定される。
【０１４４】
ＲＳ設定の場合、“ＲＳタイプ”はＲＳビーム／リソースの数をＫとして“ＤＬ  ＣＳＩ−ＲＳ”に設定され得る。“ＲＳ機能”は‘非ＵＥ−特定ＲＳ'（セル−特定又はｇＮＢ−特定）であり得る。
ＤＬ  ＣＳＩ測定設定は、Ｎ＝１  ＣＳＩ報告設定をＭ＝Ｋ＞１  ＲＳ設定とリンクさせる。他の設定のための構成はｇＮＢの具現によって柔軟に選択され得る。
【０１４５】
“部分−ポート”ＤＬ  ＣＳＩ−ＲＳを有する明示的（量子化されたチャネル）フィードバックに対する１つの例示的な使用ケース（使用ケース１．Ｅとして示される）では、ＵＥ−特定ビームフォーミングＣＳＩ−ＲＳとともに、Ｎ＝Ｋ＋１  ＤＬ  ＣＳＩ報告設定及びＭ＝Ｋ＋１  ＲＳ設定が用いられ得る。
【０１４６】
第１番目のＫ個のＤＬ  ＣＳＩ報告設定の場合、ＢＩ設定値がＮＵＬＬに設定され（ＢＩ報告なし）、ＰＭＩ設定値が‘エクスプリシット'（ここで、ＰＭＩは量子化コードブックから取られた量子化されたチャネルのおススメパラメータ化を指す）に設定され、ＣＱＩ計算設定はＮＵＬＬ（ＣＱＩ報告なし）に設定される。最終ＤＬ  ＣＳＩ報告設定の場合、ＢＩ設定値がＮＵＬＬ（ＢＩ報告なし）に設定され、ＰＭＩ設定値が‘プリコーダ'（ここで、ＰＭＩは他のコードブックから取られたおススメプリコーダを指す）に設定され、ＣＱＩ計算設定は報告されたＲＩ及びＰＭＩによって調節されるＣＱＩを計算するように構成される。
【０１４７】
第１番目のＫ個のＲＳ設定の場合、“ＲＳタイプ”はＲＳビーム／リソースの数をＫ（ここで、Ｋはパーティーション数、Ｎ１＋Ｎ２＋…＋ＮＫはＤＬ送信のためのＤＬアンテナポートの総数）として“ＤＬ  ＣＳＩ−ＲＳ”に設定され得る。“ＲＳ機能”は‘非ＵＥ−特定ＲＳ'（セル−特定又はｇＮＢ−特定）であり得る。最終ＲＳ設定の場合、“ＲＳタイプ”は１つのＲＳビーム／リソースを有する“ＤＬ  ＣＳＩ−ＲＳ”に設定され得る。“ＲＳ機能”は‘ＵＥ−特定ＲＳ'であり得る。最終ＲＳ設定は関連ＲＳが第１番目のＫ個のＲＳ設定と関連付けられたものよりも頻繁に送信される方式で構成され得る。
【０１４８】
ＤＬ  ＣＳＩ測定設定は第１番目のＫ個のＣＳＩ報告設定を第１番目のＫ個のＲＳ設定と一対一方式でリンクさせる。また、これは最終ＣＳＩ報告設定を最終ＲＳ設定とリンクさせる。他の設定のための構成はｇＮＢの具現によって柔軟に選択され得る。
【０１４９】
ＤＬ−ＵＬ相互性（ＴＤＤ）を仮定するＤＭＲＳに基づくＤＬ動的ビームフォーミングに対する１つの例示的な使用ケース（使用ケース１．Ｆとして示される）では、Ｎ＝１  ＤＬ  ＣＳＩ報告設定及びＭ＝２  ＲＳ設定が用いられ得る。
【０１５０】
ＤＬ  ＣＳＩ報告設定の場合、ＢＩ設定値がＮＵＬＬ（ＢＩ報告なし）に設定され、ＰＭＩ設定値がＮＵＬＬ（ＰＭＩ報告なし）に設定され、ＣＱＩ計算設定は報告されたＲＩによって調節されるＣＱＩを計算するように構成される。
【０１５１】
第１番目のＲＳ設定の場合、“ＲＳタイプ”を“ＤＬ  ＣＳＩ−ＲＳ”に設定し、ＲＳビーム／リソース数Ｋを１に設定する。“ＲＳ機能”は‘ＵＥ−特定ＲＳ'又は‘非ＵＥ−特定ＲＳ'（セル−特定又はｇＮＢ−特定）であり得る。第２番目のＲＳ設定の場合、“ＲＳタイプ”を“ＵＬ  ＣＳＩ−ＲＳ（ＳＲＳ）”に設定し、ＲＳビーム／リソース数Ｋを１に設定できる。“ＲＳ機能”は‘ＵＥ−特定ＲＳ'又は‘非ＵＥ−特定ＲＳ'（セル−特定又はｇＮＢ−特定）であり得る。
【０１５２】
ＤＬ  ＣＳＩ測定設定は単一のＣＳＩ報告設定を２つのＲＳ設定とリンクさせる。この場合、第２ＲＳ設定（ＵＬ  ＣＳＩ−ＲＳ／ＳＲＳと関連付けられる）はＤＬデータ送信のためのＤＬプリコーダを計算するためにｇＮＢによって用いられ得る。
【０１５３】
他の設定のための構成はｇＮＢの具現によって柔軟に選択され得る。
【０１５４】
選択的には、Ｎ＝１  ＤＬ  ＣＳＩ報告設定及びＭ＝１  ＲＳ設定を用いることができる。この場合、（ＵＬ  ＣＳＩ−ＲＳ又はＳＲＳの）第２ＲＳ設定使用はＤＬ  ＣＳＩ報告設定と別途に構成される。したがって、ＤＬ  ＣＳＩ測定設定は単一のＣＳＩ報告設定をＤＬ  ＣＳＩ−ＲＳの単一のＲＳ設定とリンクさせる。
【０１５５】
コンポーネント２−ＵＬ  ＣＳＩフレームワーク
【０１５６】
第２コンポーネント（すなわち、ＵＬ  ＣＳＩ獲得フレームワーク）の場合、ＵＬ  ＣＳＩフレームワークは部分的にｇＮＢ／ＴＲＰでのＵＬ  ＣＳＩ獲得を容易にするように設計される。これはｇＮＢ／ＴＲＰでのＵＬ信号（ら）のＵＬ  ＣＳＩ測定、ＵＥでのＤＬ信号（ら）のＵＬ  ＣＳＩ測定（ＤＬ−ＵＬ相互性に基づく動作の場合）、又はその両方を含む。いくつかの例示的な実施形態が次のように与えられる。
【０１５７】
一実施形態で、単一ＵＥの場合、ＵＬ  ＣＳＩフレームワークは少なくとも１つの“シグナリング設定”、少なくとも１つの“ＲＳ設定”（ＵＬ  ＣＳＩ測定のために用いられる少なくとも１つのＲＳを含む）及び１つの“ＵＬ  ＣＳＩ測定設定”を含む。“シグナリング設定”は、ＤＬシグナリング（ＤＬデータ又は制御チャネルによる）又はＵＬ（例えば、ＵＬデータ又は制御チャネルによる）の内のいずれか１つの必須シグナリングでＵＥを構成する。ＲＳ設定はＵＬ  ＣＳＩ測定及び計算のために１つ以上のＲＳリソースでＵＥを構成する。例えば、構成されるＲＳの内の１つはＤＬ又はＵＬ  ＣＳＩ−ＲＳであることができ、また、特殊ケースとしてＣＳＩ−ＩＭ（したがって、ゼロ電力ＣＳＩ−ＲＳ）を含む。ＣＳＩ測定設定はＣＳＩ報告とＲＳ設定の間のリンケージ／カップリングを提供する。
【０１５８】
上記の名称（シグナリング設定、ＲＳ設定及びＣＳＩ測定設定）は例示的なものであって、単なる例示的な目的のためのものである。機能を表すために他の名称が用いられることもできる。
【０１５９】
上記実施形態の変形例では、“シグナリング設定”は２つの設定、すなわち“ＤＬシグナリング設定”及び“ＵＬシグナリング設定”にさらに分けられることができる。
【０１６０】
ＵＬ  ＣＳＩ測定に用いられる“ＲＳ設定”は、ＤＬ  ＣＳＩ測定に用いられるものと同じであり得る。選択的には、別途のＲＳ設定がＵＬ  ＣＳＩ測定のために定義されることができ、これはＤＬ  ＣＳＩ測定にＲＳ設定のフィーチャ又はパラメータのサブセットを用いる。
【０１６１】
例えば、ＵＥがＮ個のシグナリング設定及びＭ個のＲＳ設定で構成される場合、ＣＳＩ測定設定はＮ個のシグナリング設定の各々をＭ個のＲＳ設定の内の少なくとも１つとリンクさせる。これが図７に示されており、ここでは、Ｎ＝２（それぞれ実施形態７１０及び７１１と関連づけられた０及び１でインデックスされたＤＬシグナリング設定）及びＭ＝３（それぞれ実施形態７２０、７２１及び７２２と関連付けられた０、１及び２でインデックスされたＲＳ設定）である。
【０１６２】
この例では、ＵＬ  ＣＳＩ測定設定は次のように説明され得る。２つのシグナリング設定及び３つのＲＳ設定がＣＳＩ測定設定７３０とリンクされる。この例では、シグナリング設定０がＲＳ設定０とリンクされ、シグナリング設定１がＲＳ設定１及び２とリンクされる。第１リンク（１対１）は一般的なＵＬシナリオで適用可能で、ＤＬ−ＵＬ相互性を用いてＵＥでハイレゾリューションプリコーディング／ビームフォーミングを可能にできるＴＤＤシナリオでは第２リンク（１対２）が適用可能である。
【０１６３】
上記リンケージの他にも、シグナリングとそれに対応するＲＳの間のタイミング関係ＣＳＩ測定設定に含まれ得る。例えば、シグナリング設定１（ＵＬシグナリング）がＲＳ設定２（ＤＬ  ＣＳＩ−ＲＳ）とリンクされる場合、ＵＥ動作は次のように定義され得る。ＵＥがサブフレーム又はスロットｎでＲＳ設定２と関連付けられたＲＳを受信する場合、ＵＥはパラメータＤ１−２が構成可能なサブフレーム又はスロットｎ＋Ｄ１−２でシグナリング設定１と関連付けられたＣＳＩを報告すべきである。図７に示す例では、シグナリング設定１は上記コンポーネント１．１でのＤＬ  ＣＳＩ報告設定と同じ設計を共有できる。
【０１６４】
また、特にＵＬシグナリング設定と関連して（したがって、ＤＬ  ＣＳＩ報告設定と同じ）、各リンケージと関連付けられた測定制限（位置だけでなく、時間ドメイン、周波数ドメイン又は両方でＣＳＩが測定された範囲）がＣＳＩ測定設定に含まれ得る。
【０１６５】
また、シグナリング設定には２つ以上のアンテナポートの間のＱＣＬ（ｑｕａｓｉ−ｃｏｌｏｃａｔｉｏｎ）が含まれ得る。
【０１６６】
シグナリング設定に対する上記例示的内容の内の少なくとも１つ（又は様々な組み合わせ）がＤＬ又はＵＬに対するＵＬ  ＣＳＩ測定のためのシグナリング設定を形成するように選択され得る。
【０１６７】
上記実施形態の変形例では、Ｎ個のシグナリング設定とＭ個のＲＳ設定の間の全ての（Ｌ≧１）リンケージを含む１つのＵＬ  ＣＳＩ測定設定を用いる代わりに、Ｌ≧１個の別途のＵＬ  ＣＳＩ測定設定（１つのリンケージあたり１つのＣＳＩ測定設定）が用いられ得る。この場合、１つのＣＳＩ測定設定は、リンケージ、タイミング関係、測定制限及び／又はＱＣＬの内の少なくとも１つを含むことができる。Ｌ≧１個のＣＳＩ測定設定使用に対する詳細な説明は１つのＣＳＩ測定設定に対する説明に従う。
【０１６８】
上記設定は、上位層（ＲＲＣ）シグナリング又はＭＡＣ制御要素（ＭＡＣ  ＣＥ）又はＬ１制御シグナリング（ＤＬ制御チャネルによるＤＬ制御シグナリング）によってＵＥに対して構成され得る。いくつかの可能性が存在する。第一に、上記設定（シグナリング設定、ＲＳ設定及びＵＬ  ＣＳＩ測定設定）のすべてが上位層（ＲＲＣ）シグナリング又はＭＡＣ制御要素（ＭＡＣ  ＣＥ）によって構成され得る。第二に、シグナリング設定及びＲＳ設定が上位層（ＲＲＣ）シグナリングによって構成されることができ、ＵＬ  ＣＳＩ測定設定はＭＡＣ制御要素（ＭＡＣ  ＣＥ）によって構成され得る。第三に、シグナリング設定及びＲＳ設定が上位層（ＲＲＣ）シグナリングによって構成されることができ、ＵＬ  ＣＳＩ測定設定はＬ１制御シグナリング（ＤＬ制御チャネルによるＤＬ制御シグナリング）によって構成され得る。第四に、シグナリング設定及びＣＳＩ測定設定が上位層（ＲＲＣ）シグナリングによって構成されることができ、ＲＳ設定はＬ１制御シグナリング（ＤＬ制御チャネルによるＤＬ制御シグナリング）によって構成され得る。
【０１６９】
ＵＬ送信方式／方法は、個別的に構成される。ＵＬ送信方式／方法がＵＬ  ＣＳＩ−関連設定と共にどのように用いられるかはｇＮＢの具現による。
【０１７０】
以下の実施形態は、ＤＬ又はＵＬシグナリングのための設定に対するサブコンポーネントに関する（本開示ではサブコンポーネント２．１として示される）。
【０１７１】
１つの例示的な実施形態で、“シグナリング設定”は、パラメータ“シグナリングタイプ”（一例として選択された用語）を含み、これは“ＵＬシグナリング”又は“ＤＬシグナリング”（一例として選択された値）の内の１つで構成され得る。ＵＬシグナリングはｇＮＢでのＵＬ  ＣＳＩ獲得のためのＤＬ  ＣＳＩ報告（ＵＬチャネルを通して行われる）の使用を含む。したがって、シグナリング設定構成はコンポーネント１．１でのものに従うことができる（正確に又は大まかに）。ＤＬシグナリングはＤＬチャネルによる（ＤＬ制御チャネルを通して搬送されるＬＴＥ  ＵＬ−関連ＤＣＩ、又はＤＬデータチャネルを通して搬送される制御情報と類似である）ＵＬ送信パラメータ（例えば、送信プリコーディングマトリックスインジケータ、送信ランクインジケータ又は他の関連ＵＬ  ＣＳＩパラメータ）のシグナリングを含む。
【０１７２】
他の実施形態で、“シグナリング設定”は２つの設定、すなわち“ＤＬシグナリング設定”及び“ＵＬシグナリング設定”にさらに分けられることができる。これらの解釈又は設計は上記実施形態と類似である。しかし、この場合には“シグナリングタイプ”パラメータが不要である。
さらに他の実施形態では、ＤＬシグナリング設定のみがサポートされる。
【０１７３】
ＵＬシグナリング設定がコンポーネント１．１を厳格に従うことができるが、一方で、ＤＬシグナリング設定８００は、８０１で送信ビームインジケータ（ＴＢＩ）設定が構成され、８０２で送信ランクインジケータ（ＴＲＩ）設定が構成され、８０３で送信ＰＭＩ（ＴＰＭＩ）設定が構成される、図８に示す、より単純な形態を取ることができる。この３つの設定の各々はＴＢＩ、ＴＲＩ及びＴＰＭＩがＵＥおススメＣＳＩパラメータでなくＵＬ送信パラメータである点を除けば、コンポーネント１．１のＤＬ  ＣＳＩ報告設定と同様に解釈される。このような設定は、例えば、ＵＬ−関連ＤＣＩのサイズ及び追加的なＤＬ制御シグナリング（例えば、ＵＬ周波数選択的プリコーディングをサポートするためのサブ帯域ＴＢＩ、ＴＲＩ及び／又はＴＰＭＩシグナリング）に対する必要性に影響を及ぼす。
【０１７４】
ＤＬシグナリング設定８００が３つのＤＬシグナリングパラメータを含むが、他のシグナリングパラメータが含まれ得る（又はこれらの３つのパラメータのサブセットのみが用いられたり、又はこのパラメータのサブセットが異なったパラメータと共に用いられ得る）。前述の議論及び後述の議論で３つのシグナリングパラメータ（したがって、３つのＤＬシグナリングパラメータ設定）の使用は例示的なものであって、例示的な目的のためのものである。
【０１７５】
ＴＢＩ設定と関連して、これはＵＥがＫ＞１個のＵＬ  ＣＳＩ−ＲＳ又はＳＲＳビーム／リソースを送信するように構成される場合に利用（シグナリング）できる。この場合、ｇＮＢはこれらのＫ個の‘サウンディング（ｓｏｕｎｄｉｎｇ）'ビームを測定し、ＵＥが自らのＵＬデータを送信すべきＲＳビーム／リソース（ｇＮＢによって選択される）をＵＥにシグナリングする。ＴＢＩシグナリングはＴＢＩ値をＮＵＬＬに設定することによってターンオフされ得る。コンポーネント１と同様に、Ｋ個の構成ＳＲＳリソースの内のＮ個のさらに低い選択が行われ得る。上位層（ＲＲＣ）シグナリングによってＫ個のリソースが構成されることができ、Ｋ個のリソースの内のＮ個を選択することはＭＡＣ  ＣＥ又はＬ１  ＤＬ制御シグナリングによって（ＤＣＩによって）構成され得る。
【０１７６】
コンポーネント１で説明したように、ＳＲＳリソース表示フィールドがＵＬ−関連ＤＣＩに含まれ得る。該フィールドはＴＢＩとは別途であるか、又はＴＢＩと同じフィールドであり得るが、追加的な仮説によって異なるように解釈される。このような追加的な仮説はＴＢＩの一部、別途の１ビットＤＣＩフィールド、又はＳＲＳ送信要求フィールドの一部であり得る。
【０１７７】
ＴＲＩ設定と関連して、ＴＲＩの値はＵＥによって送信されるＵＬデータ階層の数を決定する。ＵＥに対してＵＬ  ＳＵ−ＭＩＭＯ動作が構成されない場合、ＴＲＩ値をＮＵＬＬ（又は選択的に｛１｝）に設定することによってＴＲＩシグナリングをターンオフできる。
【０１７８】
ＴＰＭＩ設定と関連して、“タイプ”パラメータはコンポーネント１．１のＤＬ  ＣＳＩ報告設定と同様に‘プリコーダ'、‘プリコーダグループ'（プリコーダサイクリング用）又は‘エクスプリシット’を用いてＵＥを構成するために用いられ得る。しかし、ＵＬ  ＭＩＭＯの場合には‘エクスプリシット’が不要な場合もある。したがって、“タイプ”パラメータが‘プリコーダ'又は‘プリコーダグループ'に設定され得る。
【０１７９】
コンポーネント１で説明されたように、ＰＭＩＳＲＳフィールドがＵＬ−関連ＤＣＩに含まれ得る。該フィールドがＴＰＭＩと別途であるか、又はＴＰＭＩと同じフィールドであり得るが、追加的な仮説によって異なるように解釈される。この追加的な仮説はＴＰＭＩの一部であるか、別途の１ビットＤＣＩフィールドであるか、又はＳＲＳ送信要求フィールドの一部であり得る。
【０１８０】
上記選択された名称は、例示的なものであって、例示的な目的のためのものである。
【０１８１】
上記例の内のいずれかで、存在しないことを示すＮＵＬＬ値は同じ機能を提供する他の値名称で代替され得る。
【０１８２】
次の例示的な実施形態は、第２コンポーネント（ＵＬ  ＣＳＩフレームワーク）に対する使用ケースと関連付けられたものである。
【０１８３】
ＤＭＲＳに基づくＵＬ  ＳＵ−ＭＩＭＯに対する１つの例示的な使用ケース（使用ケース２．Ａとして示される）では、Ｎ＝１シグナリング設定（‘ＤＬシグナリング'に設定される）及びＭ＝１  ＲＳ設定が用いられ得る。
【０１８４】
ＤＬシグナリング設定において、一般的な動的ビームフォーミングが構成される場合、ＴＢＩ設定値がＮＵＬＬに設定され（ＢＩ報告なし）、ＴＰＭＩ設定値が‘プリコーダ'に設定される（ここで、ＴＰＭＩはコードブックから取られた割り当てプリコーダを指す）。プリコーダサイクリングが構成される場合には、ＴＰＭＩ設定値が‘プリコーダグループ'に設定される（ここで、ＴＰＭＩはコードブックから取られた割り当てプリコーダのグループを指す）。ＴＰＭＩ周波数グラニュラリティは周波数非選択的又は周波数選択的プリコーディング／ビームフォーミングが構成されるか否かを示すことができる。
【０１８５】
ＲＳ設定の場合、“ＲＳタイプ”を“ＵＬ  ＣＳＩ−ＲＳ／ＳＲＳ”に設定し、ＲＳビーム／リソースの数Ｋを１に設定できる。“ＲＳ機能”は‘デフォルト'であり得る。
【０１８６】
ＵＬ  ＣＳＩ測定設定はＤＬシグナリング設定をＲＳ設定とリンクさせる。他の設定のための構成はｇＮＢの具現によって柔軟に選択され得る。
【０１８７】
ＤＬ−ＵＬ相互性（ＴＤＤ）を有するＤＭＲＳに基づくＵＬ  ＳＵ−ＭＩＭＯに対する１つの例示的な使用ケース（使用ケース２．Ｂとして示される）では、Ｎ＝１シグナリング設定（‘ＤＬシグナリング'に設定される）及びＭ＝２  ＲＳ設定が用いられ得る。
【０１８８】
ＤＬシグナリング設定において、一般的な動的ビームフォーミングが構成される場合、ＴＢＩ設定値がＮＵＬＬに設定され（ＢＩ報告なし）、ＴＰＭＩ設定値が‘プリコーダ’に設定される（ここで、ＴＰＭＩはコードブックから取られた割り当てプリコーダを指す）。プリコーダサイクリングが構成される場合には、ＴＰＭＩ設定値が‘プリコーダグループ’に設定される（ここで、ＴＰＭＩはコードブックから取られた割り当てプリコーダのグループを指す）。ＴＰＭＩ周波数グラニュラリティは周波数非選択的又は周波数選択的プリコーディング／ビームフォーミングが構成されるか否かを示すことができる。
【０１８９】
第１ＲＳ設定の場合、“ＲＳタイプ”を“ＵＬ  ＣＳＩ−ＲＳ／ＳＲＳ”に設定し、ＲＳビーム／リソース数Ｋを１に設定できる。“ＲＳ機能”は‘デフォルト'であり得る。
【０１９０】
第２ＲＳ設定の場合、“ＲＳタイプ”を“ＤＬ  ＣＳＩ−ＲＳ”に設定し、ＲＳビーム／リソース数Ｋを１に設定する。“ＲＳ機能”は‘ＵＥ−特定'又は‘非−ＵＥ−特定'の内の１つであり得る。又はこの２つの値が‘デフォルト’に併合される場合には、それが‘デフォルト’に設定され得る。このような第２ＲＳ設定の目的は、ＵＥプリコーダ／ビームフォーミングを助けるためであり、例えば、ＵＥがＤＬ  ＴＰＭＩでシグナリングされたビームフォーミング／プリコーディングレゾリューションを改善できるようにするためである。
【０１９１】
ＵＬ  ＣＳＩ測定設定は、ＤＬ信号設定を２つのＲＳ設定をリンクさせる。他の設定のための構成はｇＮＢの具現によって柔軟に選択され得る。
【０１９２】
選択的には、Ｎ＝１シグナリング設定（‘ＤＬシグナリング’に設定される）及びＭ＝１  ＲＳ設定（‘ＵＬ  ＣＳＩ−ＲＳ／ＳＲＳ’に設定される）も可能であり、他のＲＳ設定を‘ＤＬ  ＣＳＩ−ＲＳ’に設定することが、それをＤＬシグナリング設定にリンクさせることなく用いられ得る。
【０１９３】
非相互性シナリオと関連のあるＫ＞１個のＵＬ  ＣＳＩ−ＲＳ（ＳＲＳ）ビームを使用するＵＬビーム管理に対する１つの例示的な使用ケース（使用ケース２．Ｃとして示される）では、Ｎ＝１  ＤＬシグナリング設定及びＭ＝Ｋ  ＲＳ設定（‘ＵＬ  ＣＳＩ−ＲＳ／ＳＲＳ'に設定される）が用いられ得る。
【０１９４】
ＤＬシグナリング設定の場合、ＴＢＩ設定の値は｛０，１，…，Ｋ−１｝に設定される。
【０１９５】
ＲＳ設定の場合、“ＲＳタイプ”はＲＳビーム／リソースの数をＫとして“ＵＬ  ＣＳＩ−ＲＳ／ＳＲＳ”に設定され得る。“ＲＳ機能”は‘デフォルト’であるか又は選択的には、‘ビームスウィーピング’（Ｋ個の連続的なＯＦＤＭシンボルがＫ個のＵＬ  ＣＳＩ−ＲＳ／ＳＲＳビーム／リソースを送信するために用いられる）であり得る。
【０１９６】
ＵＬ  ＣＳＩ測定設定は、Ｎ＝１  ＤＬシグナリング設定をＭ＝Ｋ＞１  ＲＳ設定とリンクさせる。他の設定のための構成はｇＮＢの具現によって柔軟に選択され得る。
【０１９７】
第３コンポーネント（すなわち、他のＤＬ  ＣＳＩ獲得フレームワーク）に対する、いくつかの例示的な実施形態が次のように与えられる。
一部の実施形態では、柔軟なＣＳＩ報告フレームワークが５Ｇ又は新しい無線（ｎｅｗ  ｒａｄｉｏ、ＮＲ）のような進歩した通信システムでサポートされる。このフレームワークで、ＵＥはＣＳＩ報告モード又は設定で構成され、これは次のようなモジュールを含む。
【０１９８】
第１モジュール０は、ＣＳＩ−ＲＳ及びＣＳＩ−ＩＭ構成を含む。ＣＳＩ報告構成は、チャネル状態情報（ｃｈａｎｎｅｌ  ｓｔａｔｅ  ｉｎｆｏｒｍａｔｉｏｎ、ＣＳＩ）の推定のためのＫ個のダウンリンク基準信号（ＣＳＩ−ＲＳ）（ここで、Ｋ≧１）を含む。ＣＳＩ−ＲＳが位置するＰＲＢでの時間及び周波数ドメインＣＳＩ−ＲＳパターンは、ＴＲＰによって構成されることもできる。このパターンは全てのＫ個のＣＳＩ−ＲＳに対して同じ場合もあり、これらのサブセット／すべてに対して異なる場合もある。構成可能な時間−周波数ＣＳＩ−ＲＳパターンセットはＬＴＥのＣＳＩ−ＲＳパターン（Ｒｅｌ．１４まで）を含む又は含まない場合もある。
【０１９９】
Ｋ個のＣＳＩ−ＲＳの多重化が、また、ＴＲＰによって構成可能であり得る。例えば、次の時間ドメイン（サブフレーム／スロットインデックス）又は／及び周波数ドメイン（ＰＲＢインデックス）多重化の内の１つが構成され得る。Ｋ個のＣＳＩ−ＲＳが時間ドメインで、連続的又は非連続的なサブフレーム／スロットに多重化され得る。２つの時間ドメイン多重化パターンを示す例がそれぞれ図９Ａ及び図９Ｂに示されている。Ｋ個のＣＳＩ−ＲＳは、周波数ドメインで多重化されることもできる。周波数ドメイン多重化を示す例が図９Ｃに示されており、ここでは、各々のＣＳＩ−ＲＳが少なくとも１つのＰＲＢに送信される。周波数ドメイン多重化の他の例では、ＰＲＢの一部で、１つ又は複数のＣＳＩ−ＲＳが同じＰＲＢに送信され得る。Ｋ個のＣＳＩ−ＲＳは、時間ドメイン及び周波数ドメインの両方で多重化されることもできる。上記の２つの多重化方法の組み合わせがＣＳＩ−ＲＳ送信のためにＴＲＰによって構成され得る。
【０２００】
各ＣＳＩ−ＲＳは、ＴＲＰによって又はネットワークによって個別的に及び柔軟にセル−特定又はＴＲＰ−特定又はＵＥ−特定又は非−ＵＥ−特定として構成され得る。例えば、Ｋ個のＣＳＩ−ＲＳがすべてＵＥ−特定のものであるか、すべて非−ＵＥ−特定のものであるか、又はＵＥ−特定のもの及び非−ＵＥ−特定のものの混合であり得る。他の例において、Ｋ個のＣＳＩ−ＲＳが単一ＴＲＰから送信されるように構成されるか、選択的には、これらの１サブセットが１つのＴＲＰから送信されることができ、他のサブセットが他のＴＲＰから送信され得る。
【０２０１】
また、各々のＣＳＩ−ＲＳは、関連付けられるポートの数を用いて構成され得る。ポートの数の構成は全てのＫ個のＣＳＩ−ＲＳに対して別個又は共通であるか、Ｋ個のＣＳＩ−ＲＳのサブセットに対しては別個であって、残りのＣＳＩ−ＲＳに対しては共通であり得る。
【０２０２】
ＣＳＩ−ＲＳの他にも、ＵＥは干渉測定のためのＣＳＩ−ＩＭリソースを用いて構成され得る。ＰＲＢ内の時間ドメイン及び周波数ドメイン位置、時間ドメイン及び周波数ドメイン多重化方法、セル−特定／ＴＲＰ−特定／ＵＥ−特定／非−ＵＥ−特定特徴、及び送信用ポートの数に関するＣＳＩ−ＩＭの構成は、上述したＣＳＩ−ＲＳに対するものと類似であり得る。
【０２０３】
ＣＳＩ−ＲＳ及び／又はＣＳＩ−ＩＭ送信は、全てのＴサブフレーム／スロットの後に周期的であるか、又は非周期的オンデマンドで構成されることもできる。例えば、Ｋ個のＣＳＩ−ＲＳの１サブセットが周期的に送信されることができ、他のサブセットは非周期的に送信され得る。
【０２０４】
第２モジュールは、ＣＳＩ報告又はＭＩＭＯタイプ構成（本開示では、ｅＭＩＭＯ−タイプ構成と称する）を含む。
【０２０５】
各ＣＳＩ−ＲＳは、同じ又は異なったＣＳＩ報告又はｅＭＩＭＯタイプと関連付けられることができる。ｅＭＩＭＯタイプの例としては、ＬＴＥ  Ｒｅｌ．１３でのようなクラスＡ、クラスＢ、Ｋ＞１及びクラスＢ、Ｋ＝１を含み、任意の標準、Ｒｅｌ．１４では新しいｅＭＩＭＯタイプを含む。
【０２０６】
各々のＣＳＩ−ＲＳに基づいて生成されるＣＳＩ報告は、プリコーディングマトリックスインジケータ（ＰＭＩ）、チャネル品質インジケータ（ＣＱＩ）、ランクインジケータ（ＲＩ）、ＣＳＩリソースインジケータ（ＣＲＩ）、ビームインジケータ（ＢＩ）、ビームグループインジケータ（ＢＧＩ）及び線型結合係数インジケータ（ＬＣＣＩ）といったＣＳＩコンテンツの内の少なくとも１つを含むように構成され得る。ＣＳＩの時間及び周波数ドメイングラニュラリティを追加的に構成することもできる。各ＣＳＩ報告において、ＣＳＩコンポーネントの報告は固定されたもの（例えば、ＷＢ又はＳＢ）であるか又はＷＢ及びＳＢの内の１つで構成され得る。
【０２０７】
Ｋ個のＣＳＩ報告又はＫ個のＣＳＩ報告のサブセットが独立して又は依存的に生成されるように構成され得る。例えば、ＬＣＳＩ−ＲＳに基づいて生成されるＬ（Ｌ≦Ｋ）のＣＳＩ報告が互いに独立して生成されるように構成されることができ、残りのＫ−Ｌ  ＣＳＩ−ＲＳに基づいて生成される残りのＫ−Ｌ  ＣＳＩ報告は依存的に生成されるように構成され得る。
【０２０８】
本提案された柔軟なＣＳＩ報告構成で、ＣＳＩタイプは暗示的（ｉｍｐｌｉｃｉｔ）、明示的（ｅｘｐｌｉｃｉｔ）、アナログ（ａｎａｌｏｇ）又は準動的（ｓｅｍｉ−ｄｙｎａｍｉｃ）の内の１つで構成され得る。
【０２０９】
ＣＳＩタイプが暗示的なものに構成される場合、ＬＴＥと類似したコードブックに基づいてＣＱＩ／ＰＭＩ／ＲＩ／ＣＲＩの内の少なくとも１つが報告される。例えば、単一ＰＭＩを含むＣＳＩがＬＴＥ  Ｒｅｌ．８  ２−Ｔｘ、Ｒｅｌ．１０  ４−Ｔｘ、及びＲｅｌ．１２クラスＢコードブックといった単一ステージコードブックを用いて報告される。他の例において、一対のＰＭＩ（ＰＭＩ１、ＰＭＩ２）がＬＴＥ  Ｒｅｌ．１０  ８−Ｔｘ、Ｒｅｌ．１２  ４−Ｔｘ、Ｒｅｌ．１３クラスＡコードブックといったデュアルステージコードブックＷ＝Ｗ１Ｗ２を用いて報告される。該デュアルステージコードブックで、第１ＰＭＩ（ＰＭＩ１）は広帯域ビームグループを表示し、第２ＰＭＩ（ＰＭＩ２）は表示されたビームグループの内の１つのビームを選択して２つの偏波に対するコフェーズ値を決定する（ＴＲＰで用いられる交差偏波アンテナポートを仮定）。さらに他の例において、デュアルステージコードブックは線型結合（ＬＣ）コードブックであり、第１ＰＭＩ（ＰＭＩ１）は広帯域ビームグループを表示し、第２ＰＭＩ（ＰＭＩ２）は表示されたビームグループ内のビームを結合させるための線型結合係数（及びコフェーズ）を表示する。
【０２１０】
ＣＳＩ報告が明示的なものに構成される場合、ＣＳＩはチャネルの全体情報、支配的な固有ベクタ（対応する固有値を持つ又は持たない）及び共分散マトリックスの内の少なくとも１つに対応する。明示的なＣＳＩ報告のオーバーヘッド及び複雑性を減少させるために、減少された次元形式の明示的ＣＳＩが報告されるように構成され得る。例えば、固有ベクタのような明示的ＣＳＩを示す基本ベクタの線型結合が、完全な明示的ＣＳＩの代わりに減少された次元の明示的ＣＳＩとして報告されるように構成され得る。
【０２１１】
ＣＳＩ報告が準動的ビームフォーミングに対して報告されるように構成される場合、報告されるＣＳＩはビームグループに対する情報を示す。例えば、ＣＳＩは暗示的ＣＳＩ報告に用いられるデュアルステージコードブックの第１ステージＷ１コードブックを用いて報告されるように構成できる。この例では、広帯域ビームグループを示すＰＭＩ１のみがＣＳＩで報告される。
【０２１２】
第３モジュールはＣＱＩ計算構成を含む。
【０２１３】
本提案された柔軟なＣＳＩ報告構成では、各ＣＳＩ報告又はｅＭＩＭＯ−タイプにおいて、ＣＱＩ報告が構成されることもでき、ここで報告されるＣＱＩは広帯域（ＷＢ）又はサブバンド（ＳＢ）であり得る。ＣＱＩがＣＳＩ報告で報告されるように構成される場合、ＣＱＩ計算方法が追加的に構成され得る。ＣＱＩ計算の構成は送信方式に依存的であるか又は送信方式と独立的であり得る。例えば、構成されるＣＱＩ計算方法は、ＬＴＥでのように、動的ビームフォーミング、準動的ビームフォーミング、又は送信ダイバーシティに基づく送信方式の内の１つに対応できる。例えば、ＣＱＩ計算方法が動的ビームフォーミングに対応する場合、単一プリコーダ又はビームフォーマがＣＱＩ計算で仮定される（ＷＢ又は各ＳＢに対して）。ＣＱＩ計算方法が準動的ビームフォーミングに対応する場合、複数のプリコーダ又はビームフォーマがＣＱＩ計算で考慮され、ここで、複数のプリコーダは、例えば、ＲＢ又はＲＥにわたって循環すると仮定され得る。ＣＱＩ計算方法が送信ダイバーシティに基づく送信の場合、ＣＳＩはＳＦＢＣ（Ｓｐａｃｅ−Ｆｒｅｑｕｅｎｃｙ  Ｂｌｏｃｋ  Ｃｏｄｉｎｇ）及びＦＳＴＤ（Ｆｒｅｑｕｅｎｃｙ  Ｓｗｉｔｃｈｅｄ  Ｔｒａｎｓｍｉｔ  Ｄｉｖｅｒｓｉｔｙ）のような送信ダイバーシティ方式を仮定して計算され得る。他の例として、構成されるＣＱＩ計算方法は、送信方式と独立的であることができ、ＴＲＰによって直接構成され得る。例えば、ＣＱＩ計算方法は、ＲＢ又はＲＥにわたって循環する単一プリコーダ又は多重プリコーダとして構成され得る。
第４モジュールは、ランクインジケータ（ＲＩ）表示子を含む。本提案された柔軟なＣＳＩ報告構成では、各ＣＳＩ報告又はｅＭＩＭＯ−タイプに対して、ＲＩ報告も構成され得る。ＲＩの構成は他のＣＳＩ報告コンポーネントの構成と独立的であることができ、又は他のＣＳＩ報告コンポーネントの構成に依存的であることもできる。例えば、ＣＳＩタイプが暗示的なものに構成される場合、ＲＩはＣＳＩ報告で報告されるように構成される。他の例において、ＣＳＩタイプがダウンリンクチャネルを明示的に示すように構成される場合、ＲＩ報告は構成されない。さらに他の例において、ＣＳＩタイプが準動的なものに構成される場合、ＲＩ報告が構成されるか、又は構成されない（例えば、この後者の場合はＲＩ＝１）。
【０２１４】
第５モジュールは、本柔軟なＣＳＩ報告構成方式で、Ｋ個のＣＳＩ報告又はｅＭＩＭＯ−タイプの各々がＴＲＰによって周期的、半永続的又は非周期的の内の１つで構成され得ることを含む。ＬＴＥと同様に、周期的なＣＳＩ報告の一例はＰＵＣＣＨに基づく報告であり、非周期的ＣＳＩ報告の一例はＰＵＳＣＨに基づく報告である。
【０２１５】
ＣＳＩ報告タイプが周期的なものに構成される場合、時間ドメイングラニュラリティでのデューティサイクル（又は期間）がＴＲＰによって構成されることもできる。さらに、ＣＳＩ報告が複数の周期的ＣＳＩ報告インスタンスで個別的に報告されるように構成される複数のＣＳＩコンポーネントを含む場合、各々のＣＳＩコンポーネントに対して、周期及びオフセットも構成され、ここで、ＣＱＩ／ＰＭＩのような１つのＣＳＩコンポーネントの周期及びオフセットはＲＩのような他のＣＳＩコンポーネントに対して定義され得る。
【０２１６】
ＣＳＩ報告タイプが非周期的なものに構成される場合、ＣＳＩを報告する時間ドメイン（サブフレーム又はスロット）及び周波数ドメイン（ＰＲＢ）位置もＴＲＰによって構成される。
【０２１７】
第６モジュールは、パネル構成を含む。本柔軟なＣＳＩ報告構成方式では、ＴＲＰでのアンテナパネル数がＴＲＰによって構成されることができ、ＣＳＩ報告を導出／報告するようにＵＥに表示され得る。パネル数の構成は単一パネル又は多重パネルの内の１つに該当できる。例えば、ミリ波５Ｇ又はＮＲ通信システムの場合、多重（例えば、４）アンテナパネルを２Ｄ（例えば、２×２）構造で配置でき、該配置はＣＳＩ報告生成を助けるためにＵＥに表示され得る。多重パネルの一例において、ＵＥは、また、各パネルに対するＣＳＩを個別的に導出又は／及び報告するように構成される。他の例において、ＵＥは共同で各パネルに対するＣＳＩを導出又は／及び報告するように構成される。
【０２１８】
第７モジュールは、ＣＳＩ報告ＢＷ構成を含む。本柔軟なＣＳＩ報告構成方式では、ＣＳＩ報告に対応する帯域幅又は（連続的又は分散された）ＰＲＢセットがＴＲＰによって構成されてＵＥに表示され得る。ＣＳＩ報告帯域幅の構成は全体帯域幅又は帯域幅の一部であり得る。例えば、ＴＲＰは所望の帯域幅の部分でＣＳＩを報告する特定ＵＥを表示でき、他の帯域幅の部分でＣＳＩを報告する他のＵＥを表示できる。この帯域幅情報はＴＲＰによって構成され、ＵＥが該当ＣＳＩ報告を生成することを助ける。
【０２１９】
第８モジュールは、ＲＦビームフォーミング構成を含む。本柔軟なＣＳＩ報告構成方式では、ＴＲＰがハイブリッドビームフォーミングアーキテクチャ（例えば、５Ｇ又はＮＲミリ波通信システム）を用いる場合、ＴＲＰ  ＲＦビームフォーミングのためのＣＳＩ報告プロセスをデジタルビームフォーミングのためのＣＳＩ報告プロセスと独立して構成するか、又はデジタルビームフォーミングのためのＣＳＩ報告プロセスとジョイントされるように構成できる。
【０２２０】
ＴＲＰ  ＲＦビームフォーミングのためのＣＳＩ報告プロセスがデジタルビームフォーミングのためのＣＳＩ報告プロセスと独立して構成される場合、２つの個別ＣＳＩ報告プロセスが行われる。デジタルビームフォーミングと関連付けられたＣＳＩ報告プロセスはＬＴＥと類似であり、ＲＦビームフォーミングと関連付けられたＣＳＩ報告プロセスは独立的なプロセスである。
【０２２１】
ＴＲＰ  ＲＦビームフォーミングのためのＣＳＩ報告プロセスがデジタルビームフォーミングのためのＣＳＩ報告プロセスとジョイントされるように構成される場合、単一ＣＳＩ報告プロセスのみが行われ、ここでは、例えば、ＲＦビーム選択がジョイントプロセスで、先に行われた後にデジタルビームが後続するようになる。
【０２２２】
本柔軟なＣＳＩ報告構成方式で、ＵＥがハイブリッドビームフォーミングアーキテクチャをも有する場合、ＵＥ  ＲＦビームフォーミングのためのＣＳＩ報告プロセスが構成されることもできる。ＵＥ  ＲＦビームフォーミング構成はＴＲＰ  ＲＦビームフォーミングと同様に、デジタルビームフォーミングと独立的であるか、又はジョイントされ得る。ＵＥ  ＲＦビームフォーミング構成はＴＲＰ  ＲＦビームフォーミング構成と独立的であるか、又はジョイントされ得る。
【０２２３】
第９モジュールは、ネットワーク調整と関連付けられた構成、すなわち単一又は多重ＴＲＰに対するセットアップを含む。本柔軟なＣＳＩ報告構成方式では、ＣＳＩ報告構成が単一又は多重ＴＲＰからなることができる。構成が多重ＴＲＰから行われる場合、各構成コンポーネントでのＣＳＩ構成方法、ＣＳＩ導出方法及びＣＳＩ報告方法を互いに独立して構成するか、又は全ての他の構成コンポーネントのサブセットとジョイントされるように構成できる。
【０２２４】
一実施形態で、ＵＥは、前述のＣＳＩ構成モジュール０−８の全部又は一部を含むＣＳＩ報告モード又は構成で構成される。
【０２２５】
他の実施形態で、前述のＣＳＩ構成モジュール０−８の内の一部は全ての可能なＣＳＩ構成に共通であり得る。例えば、ビームグループ選択は全てのＣＳＩ報告モードに共通であり得る。
【０２２６】
他の実施形態で、前述のＣＳＩ構成モジュール０−８はＣＳＩ報告プロセスのための３つのグループ、すなわち、ＣＳＩ−ＲＳ構成、ＣＳＩ測定及び生成構成、そしてＣＳＩ報告又はｅＭＩＭＯ−タイプ構成に分割され得る。３つのグループ又は３つのグループのサブセットの従属性はカップリングされるものとして構成可能であるか、デカップリングされるものとして構成可能である。グループの関係を示すダイヤグラム１０００が図１０に示されている。
【０２２７】
他の実施形態で、ＣＳＩ測定及び生成構成は、Ｎ個のＣＳＩ報告構成とＭ個のＣＳＩ−ＲＳ構成の間にリンクされたマッピングを含み、ここで、Ｎ及びＭは同じでない場合もあり一対一が不要な場合もある。例えば、図１１は、Ｎ＝３（ｎ＝０，１，２）及びＭ＝２（ｍ＝０，１）に対するＣＳＩ−ＲＳ及びＣＳＩ報告マッピングの例を示しており、ここで、リンクは次のように構成される：設定０及び１で構成されるＣＳＩ報告がＣＳＩ−ＲＳ設定０で構成されるＣＳＩ−ＲＳ測定に基づいて計算され（図面では０→０及び１→０）、設定２で構成されるＣＳＩ報告はＣＳＩ−ＲＳ設定１で構成されるＣＳＩ−ＲＳ測定に基づいて計算される（ダイヤグラム１１００で２→１）。このリンクはＣＳＩ測定構成に含まれ得る。ＣＳＩ測定及び生成構成は、各マッピングリンクに対する測定制限又はＱＣＬ（該当する場合）を含むこともできる。例えば、この制限はＣＳＩ報告とＣＳＩ−ＲＳの間のタイミング関係を含むことができ、これは選択的に（例えば、ＬＴＥで）送信方式構成の一部である。
【０２２８】
以下の議論は、ＣＳＩ報告又はｅＭＩＭＯ−タイプ構成に重点をおいたものである。
【０２２９】
他の実施形態で、ＣＳＩ報告構成はモード（周期的、非周期的又は半永続的）、周期及びオフセットでのサブフレーム又はスロット構成、及びＣＳＩパラメータ構成（例えば、ＢＩ、ＲＩ、ＰＭＩ及びＣＱＩ）を含むことができる。このような構成を示した例が図６の設定６００に示されている。この例では、ＢＩ報告がＮＵＬＬに構成されない場合、報告された（又は仮定された）ＢＩによって調節されてＲＩが計算される。同様に、報告された（又は仮定された）ＢＩ及び／又はＲＩによって調節されてＰＭＩが計算される。また、報告された（又は仮定された）ＢＩ、ＲＩ及び／又はＰＭＩによって調節されてＣＱＩが計算される。
【０２３０】
他の実施形態で、モジュールに含まれるＣＳＩ報告パラメータの構成は送信方式とデカップリングされる。送信方式／方法がどのようにＣＳＩ−関連設定と共に用いられるかはＴＲＰの具現による。ＣＳＩ報告パラメータは送信方式に関係なく、互いに対して独立して又は依存的に構成され得る。例えば、ＵＥは次を含むＣＳＩ報告パラメータに構成され得る：
【０２３１】
【数３】
2019532564.tif 000006
【０２３２】
この例では、ＵＥが明示的フィードバックで構成されることができ、フルチャネル情報が報告される。他の例として、ＵＥは次を含むＣＳＩ報告パラメータで構成され得る：
【０２３３】
【数４】
2019532564.tif 000007
【０２３４】
この例では、ＵＥが明示的フィードバックで構成されることができ、固有ベクタが報告される。他の例として、ＵＥは次を含むＣＳＩ報告パラメータで構成され得る：
【０２３５】
【数５】
2019532564.tif 000008
【０２３６】
この例では、ＵＥが暗示的フィードバックで構成され得る。他の例として、ＵＥは次を含むＣＳＩ報告パラメータで構成され得る：
【０２３７】
【数６】
2019532564.tif 000009
【０２３８】
この例では、ＵＥが準動的／準開ループフィードバックで構成され得る。他の例として、ＵＥは次のような２セットのＣＳＩ報告パラメータで構成され得る：
【０２３９】
【数７】
2019532564.tif 000010
【０２４０】
【数８】
2019532564.tif 000011
【０２４１】
この例では、ＵＥが第１構成を用いてクラスＡｅＭＩＭＯ−タイプ報告で構成されることができ、第２構成を用いてクラスＢｅＭＩＭＯ−タイプ報告で構成され得る。この２つの構成の間の従属性も構成できる。例えば、この２つの構成を互いに透明であるように構成できる。他の例として、第２構成は第１構成に依存するように構成され得る。
【０２４２】
他の実施形態では、一部の構成可能なＣＳＩ報告モードが前記モジュール０−８の組み合わせのサブセットのみをサポートでき、これはモジュールの構成が他のモジュールの構成に依存し得ることを意味する。このような従属性はＣＳＩ報告構成での機能の重複が防止できる。例えば、ＵＥが明示的ＣＳＩタイプ（モジュール１）で構成される場合、周期的ＣＳＩ報告タイプで構成されず非周期的ＣＳＩ報告タイプ（モジュール４）でのみ構成され得る。他の例として、周期的又は半永続的ＣＳＩ報告タイプ（モジュール４）が広帯域報告（モジュール６）でのみ構成されることができ、非周期的ＣＳＩ報告タイプ（モジュール４）はサブバンド報告（モジュール６）でのみ構成され得る。
【０２４３】
他の実施形態では、ＣＳＩ報告構成がモジュール０−８の内の１つ（モジュールＸ）を構成しない場合、モジュールＸが必要なＣＳＩを導出するために、モジュールＸに対するデフォルト構成がＣＳＩ報告を導出すると仮定できる。例えば、ＲＩ報告（モジュール３）がＴＲＰによって構成されない場合、ＵＥはデフォルトによってＲＩが１に構成されたとみなしてＣＳＩ報告を生成できる。
【０２４４】
他の実施形態では、ＵＥが全てのＣＳＩ報告構成のセットの中から１サブセットのみをサポートでき、ＴＲＰはＵＥのＣＳＩ報告能力を知っている。ＴＲＰはＵＥの能力内でのみＣＳＩ報告構成を構成できる。例えば、ＵＥは明示的な（ハイレゾリューション）ＣＳＩ報告（モジュール１）ができないので、ＴＲＰはこのようなＵＥを明示的ＣＳＩタイプを含む任意のＣＳＩ報告構成で構成してはならない。
【０２４５】
他の実施形態では、ＵＥが複数のＣＳＩ報告構成をサポートでき、ＴＲＰがそれを知っている。すると、ＴＲＰはサポートされるＣＳＩ報告構成の内の１つをＵＥに表示でき、ＵＥは構成されるＣＳＩ報告構成に基づいてＣＳＩ報告を生成するようになる。例えば、ＵＥは明示的及び暗示的ＣＳＩタイプの両方をサポートでき、ＴＲＰはＳＵ送信でＵＥをスケジューリングし、それを暗示的ＣＳＩタイプで構成する。したがって、明示的ＣＳＩタイプに対応するＣＳＩ報告を生成できる能力を有しても、ＵＥは暗示的ＣＳＩタイプに対応するＣＳＩ報告を生成するようになる。
【０２４６】
他の実施形態では、ＣＳＩ報告構成の複数のモジュールを含むＣＳＩ報告を収集した後、送信方式及び方法が選択されることができ、ここで、送信方式及び方法の例は空間多重化（例えば、ビームフォーミング及びプリコーダサイクリング）及び送信ダイバーシティ（例えば、ＳＦＢＣ）を含むことができる。
【０２４７】
構成可能なＣＳＩ報告のプロセス１２００を示すフローチャートが図１２に示されている。ＴＲＰがＣＳＩ報告に対するＵＥの能力を知った後、ＴＲＰはＣＳＩ−ＲＳ／ＣＳＩ−ＩＭ構成、ＣＳＩ測定及び計算構成、ＣＳＩ報告又はｅＭＩＭＯ−タイプ構成を含むＣＳＩ報告プロセスを構成し、該構成をＵＥに示す。ＵＥは該構成に基づいてＣＳＩ報告を測定及び生成し、構成されたＣＳＩをＴＲＰに報告する。ＴＲＰは該ＣＳＩ報告に基づいて後続の送信をスケジューリングする。
【０２４８】
他の実施形態で、本柔軟なＣＳＩ報告構成は迅速なＣＳＩ獲得のために単一又は複数のＴＲＰによってシグナリングされ得る。例えば、ＣＳＩ報告構成は単一ＴＲＰによって構成されることができ、ここで、ＣＳＩ報告構成情報がＤＣＩでＰＤＣＣＨを介してターゲットＵＥに送信される。他の例において、ＣＳＩ報告構成は複数のＴＲＰによって構成されることができ、ここでは、ＣＳＩ報告構成情報が各ＴＲＰのＤＣＩでＰＤＣＣＨを通ってターゲットＵＥに送信される。
【０２４９】
他の実施形態で、本柔軟なＣＳＩ報告構成は、準静的方式で上位層によってシグナリングされることもできる。例えば、無線リソース制御（Ｒａｄｉｏ  Ｒｅｓｏｕｒｃｅ  Ｃｏｎｔｒｏｌ、ＲＲＣ）によってＣＳＩ報告構成が構成され得る。
【０２５０】
図１３は、本開示の一実施形態によってＵＥがチャネル状態情報（ＣＳＩ）計算及び報告のための構成情報を受信する例示的な方法１３００に対するフローチャートを示す図である。例えば、方法１３００はＵＥ１１６によって行われ得る。
【０２５１】
方法１３００は、ＵＥがチャネル状態情報（ＣＳＩ）計算及び報告のための構成情報を受信することから開始し、ここで、この構成はＮ≧１  ＣＳＩ報告設定、Ｍ≧１基準信号（ＲＳ）設定及び測定設定を含む（ステップ１３０１）。測定設定はＣＳＩ報告設定とＲＳ設定の間のリンケージを含み、ここで、ＣＳＩ報告設定と関連付けられたＣＳＩ報告は、ＲＳ設定と関連付けられた基準信号（ＲＳ）を測定したものに基づいて計算される。したがって、リンケージはＲＳ設定と関連付けられたＲＳに対するＣＳＩ測定及び計算の従属性を決定する。ＲＳ設定はチャネル測定又は干渉測定のために構成される。ＣＳＩ報告設定は、周期的、非周期的又は半永続的方式で報告されるようにＣＳＩ報告を構成する。同様に、ＲＳ設定は周期的、非周期的又は半永続的方式で測定されるように構成されたＣＳＩ−ＲＳと関連付けられる。ＣＳＩ報告設定は少なくともチャネル品質インジケータ（ＣＱＩ）、プリコーディングマトリックスインジケータ（ＰＭＩ）、ランクインジケータ（ＲＩ）又はＣＳＩ−ＲＳリソースインジケータ（ＣＲＩ）に対するＣＳＩパラメータ設定を含む。構成情報は上位層シグナリングによって受信される。ＵＥはＣＳＩ構成情報をデコーディングする（ステップ１３０２）。デコーディングされた情報を用いてＣＳＩ報告を計算する（ステップ１３０３）。次に、計算されたＣＳＩ報告がアップリンク（ＵＬ）チャネルを通して送信される（ステップ１３０４）。
【０２５２】
図１４は、本開示の一実施形態によってＢＳがチャネル状態情報（ＣＳＩ）計算及びＵＥ（ＵＥ−ｋと表記される）に対する報告のための構成情報を生成する例示的な方法１４００に対するフローチャートを示す図である。例えば、方法１４００は、ＢＳ１０２によって行われ得る。
【０２５３】
方法１４００は、ＢＳが、ＵＥ−ｋに対して、チャネル状態情報（ＣＳＩ）計算及び報告のための構成情報を生成することから開始し、ここで、この構成はＮ≧１  ＣＳＩ報告設定、Ｍ≧１基準信号（ＲＳ）設定及び測定設定を含む（ステップ１４０１）。
【０２５４】
測定設定はＣＳＩ報告設定とＲＳ設定の間のリンケージを含み、ここで、ＣＳＩ報告設定と関連付けられたＣＳＩ報告はＲＳ設定と関連付けられた基準信号（ＲＳ）測定に基づいて計算される。したがって、リンケージはＲＳ設定と関連づけられたＲＳに対するＣＳＩ測定及び計算の従属性を決定する。ＲＳ設定はチャネル測定又は干渉測定のために構成される。ＣＳＩ報告設定は周期的、非周期的又は半永続的方式で報告されるようにＣＳＩ報告を構成する。同様に、ＲＳ設定は周期的、非周期的又は半永続的方式で測定されるように構成されるＣＳＩ−ＲＳと関連付けられる。ＣＳＩ報告設定は少なくともチャネル品質インジケータ（ＣＱＩ）、プリコーディングマトリックスインジケータ（ＰＭＩ）、ランクインジケータ（ＲＩ）又はＣＳＩ−ＲＳリソースインジケータ（ＣＲＩ）に対するＣＳＩパラメータ設定を含む。構成情報は上位層シグナリングによって受信される。次に、ＢＳがＣＳＩ構成情報をＵＥ−ｋに送信し（ステップ１４０２）、アップリンク（ＵＬ）チャネルを通してＵＥ−ｋからＣＳＩ報告を受信する（ステップ１４０３）。
【０２５５】
図１３及び図１４が構成情報を受信してＵＥを構成する方法の例を示すが、多様な変更が図１３及び図１４に対して行われ得る。例えば、一連のステップとして図示されたが、各図面の多様なステップは１つ以上の実施形態で重なったり、並列的に発生したり、異なった順序で発生したり、何度も発生したり、行われない場合もある。
【０２５６】
本開示が例示的な実施形態で説明されたが、多様な変更及び修正が当業者に提案され得る。本開示は、添付された請求範囲の範囲内にあるこのような変更及び修正を含むことが意図される。
【符号の説明】
【０２５７】
１００  無線ネットワーク
１０１  ＢＳ
１０２  ＢＳ
１０３  ＢＳ
１１１  ＵＥ
１１２  ＵＥ
１１３  ＵＥ
１１４  ＵＥ
１１５  ＵＥ
１１６  ＵＥ
１２０  カバレッジ領域
１２５  カバレッジ領域
１３０  ネットワーク
２００  送信経路
２０５  チャネルコーディング及び変調ブロック
２１０  送信経路
２１５  サイズＮ  ＩＦＦＴブロック
２２０  並列−直列（Ｐ−ｔｏ−Ｓ）ブロック
２２５  ‘サイクリックプレフィックス加算’ブロック
２３０  及びアップ−コンバータ（ｕｐ−ｃｏｎｖｅｒｔｅｒ、ＵＣ）
２５０  受信経路
２５５  ダウン−コンバータ（ｄｏｗｎ−ｃｏｎｖｅｒｔｅｒ、ＤＣ）
２６０  ‘サイクリックプレフィックス除去’ブロック
２６５  直列−並列（Ｓ−ｔｏ−Ｐ）ブロック
２７０  サイズＮ  ＦＦＴブロック
２７５  並列−直列（Ｐ−ｔｏ−Ｓ）ブロック
２８０  チャネルデコーディング及び復調ブロック
３０５  アンテナ
３１０  ＲＦ送受信機
３１５  ＴＸ処理回路
３２０  マイクロホン
３２５  ＲＸ処理回路
３３０  スピーカ
３４０  プロセッサ
３４５  入／出力（Ｉ／Ｏ）インタフェース
３５０  入力部
３５５  ディスプレイ
３６０  メモリ
３６１  ＯＳプログラム
３６２  アプリケーション
３７０  アンテナ
３７２  ＲＦ送受信機
３７４  ＴＸ処理回路
３７６  ＲＸ処理回路
３７８  制御機／プロセッサ
３８０  メモリ
３８２  バックホール又はネットワークインタフェース
４０１  アナログ位相シフタ
４０５  アナログビームフォーミング
４１０  デジタルビームフォーミングユニット
４２０  角度範囲
５２０  ＣＳＩ測定設定
５４０  Ｎ＝４  ＣＳＩ報告設定
５４１  Ｎ＝４  ＣＳＩ報告設定
５４２  Ｎ＝４  ＣＳＩ報告設定
５４３  Ｎ＝４  ＣＳＩ報告設定
５４５  Ｍ＝３  ＲＳ設定
５４６  Ｍ＝３  ＲＳ設定
５４７  Ｍ＝３  ＲＳ設定
５４８  Ｐ＝１  ＩＭ設定
５５０  ＣＳＩ測定設定
６００  ＤＬ  ＣＳＩ報告設定
６０１  一般設定情報
７３０  ＣＳＩ測定設定
８００  ＤＬシグナリング設定
【図１】
2019532564.tif 000012
【図２Ａ】
2019532564.tif 000013
【図２Ｂ】
2019532564.tif 000014
【図３Ａ】
2019532564.tif 000015
【図３Ｂ】
2019532564.tif 000016
【図４】
2019532564.tif 000017
【図５Ａ】
2019532564.tif 000018
【図５Ｂ】
2019532564.tif 000019
【図５Ｃ】
2019532564.tif 000020
【図６】
2019532564.tif 000021
【図７】
2019532564.tif 000022
【図８】
2019532564.tif 000023
【図９Ａ】
2019532564.tif 000024
【図９Ｂ】
2019532564.tif 000025
【図９Ｃ】
2019532564.tif 000026
【図１０】
2019532564.tif 000027
【図１１】
2019532564.tif 000028
【図１２】
2019532564.tif 000029
【図１３】
2019532564.tif 000030
【図１４】
2019532564.tif 000031
【国際調査報告】
2019532564.tif 000032
2019532564.tif 000033